(57)【要約】  表示システムにおいて、リモートコントローラは、操作部を特定のユーザが操作することに応じて、第１の画像データと第２の画像データとを切り替えるための指令信号である第１の画像切替信号を生成する第１の信号生成部を有する。表示装置は、リモートコントローラから受信する第１の画像切替信号に応じて、第１の画像データと第２の画像データとの切り替えを指令する第１の画像切替部を有する。第１の画像切替部は、第１の画像切替信号が入力されると、表示部に第１の画像データが表示されている場合は、表示部に第２の画像データを表示させ、表示部に第２の画像データが表示されている場合は、表示部に第１の画像データを表示させる、第１の画像切替制御を実行する。よって、個人情報を含む機密情報が、第３者に漏れる可能性を防止する。
2012086209.tif 000002
【特許請求の範囲】
【請求項１】
機密情報を含む第１の画像データと非機密情報である第２の画像データとを保持し、前記第１の画像データ又は前記第２の画像データを表示する表示装置、及び
前記表示装置に対して、信号を生成し送信するための操作部を有するリモートコントローラ、を備える、
表示システムにおいて、
前記リモートコントローラは、
前記操作部を特定のユーザが操作することに応じて、前記第１の画像データと前記第２の画像データとを切り替えるための指令信号である第１の画像切替信号を生成する第１の信号生成部と、
前記第１の画像切替信号を前記表示装置に送信する送信部と、
を有し、
前記表示装置は、
前記リモートコントローラより前記第１の画像切替信号を受信する受信部と、
前記第１の画像切替信号に応じて、前記第１の画像データと前記第２の画像データとの切り替えを指令する第１の画像切替部と、
前記第１の画像切替部による指令に応じて、前記第１の画像データ又は前記第２の画像データを表示する表示部と、
を有し、
前記第１の画像切替部は、前記第１の画像切替信号が入力されると、
前記表示部に前記第１の画像データが表示されている場合は、前記表示部に前記第２の画像データを表示させ、
前記表示部に前記第２の画像データが表示されている場合は、前記表示部に前記第１の画像データを表示させる、
第１の画像切替制御を実行する、
表示システム。
【請求項２】
前記表示装置は、前記第１の画像切替制御を実行後の所定時間、新たな第１の画像切替信号の受信を無効とする、
請求項１に記載の表示システム。
【請求項３】
前記リモートコントローラは更に、
前記操作部を特定のユーザが操作することに応じて、一以上の第３の画像データの表示と非表示とを切り替えるための指令信号である第２の画像切替信号を生成する第２の信号生成部
を有し、
前記表示装置は更に、
前記一以上の第３の画像データを保持し、
前記受信部により前記第２の画像切替信号を受信し、
前記第２の画像切替信号に応じて、前記第３の画像データの表示と非表示との切り替えを指令する第２の画像切替部を有し、
前記表示部は、前記第２の画像切替部による指令に応じて、前記第１の画像データ上に重ねて前記第３の画像データを表示する、
請求項１に記載の表示システム。
【請求項４】
前記第３の画像データは複数であり、
前記第２の画像切替部は、前記第２の画像切替信号が入力される度に、前記複数の第３の画像データ及び前記第３の画像データの非表示を順次切り替えて前記表示部に表示させる、
請求項３に記載の表示システム。
【請求項５】
前記リモートコントローラの前記操作部は、第１の操作部と第２の操作部とを含み、
前記第１の信号生成部は、前記特定のユーザが前記第１の操作部を操作することに応じて、前記第１の画像切替信号を生成し、
前記第２の信号生成部は、前記特定のユーザが前記第２の操作部を操作することに応じて、前記第２の画像切替信号を生成する、
請求項３又は４に記載の表示システム。
【請求項６】
前記表示装置は、領域に応じて、前記第１の画像切替制御を実行後の所定時間前記第１の切替信号の受信を無効とする、
請求項２に記載の表示システム。
【請求項７】
前記表示装置は、前記リモートコントローラから送信された前記第１の画像切替信号と、記録した前記第１の画像データとの対応に基づき前記リモートコントローラを識別する、
請求項１に記載の表示システム。
【請求項８】
前記リモートコントローラは、異なる識別情報を有する複数のリモートコントローラを含む、
請求項７に記載の表示システム。
【請求項９】
機密情報を含む第１の画像データと非機密情報である第２の画像データとを保持するメモリ部と、
前記第１の画像データと前記第２の画像データとを切り替えるための指令信号を受信する受信部と、
前記指令信号を識別する判断部と、
前記指令信号に応じて、前記第１の画像データと前記第２の画像データとの切り替えを指令する画像切替部と、
前記画像切替部による指令に応じて、前記第１の画像データ又は前記第２の画像データを表示する表示部と、
を備え、
前記判断部は、前記第１の画像データと前記第２の画像データとの切り替えを実行後の所定時間、次の切替信号の受信を無効とする、
表示装置。
【請求項１０】
機密情報を含む第１の画像データと非機密情報である第２の画像データとを保持し、前記第１の画像データ又は前記第２の画像データを表示する表示装置、及び
前記表示装置に対して、信号を生成し送信するための操作部を有するリモートコントローラ、を用いた表示制御方法において、
前記リモートコントローラにおいて、
前記操作部を特定のユーザが操作することに応じて、前記第１の画像データと前記第２の画像データとを切り替えるための指令信号である画像切替信号を生成し、
前記画像切替信号を前記表示装置に送信し、
前記表示装置において、
前記リモートコントローラより前記画像切替信号を受信し、
前記画像切替信号に応じて、前記表示装置に前記第１の画像データが表示されている場合は、前記第２の画像データを表示するように切り替え、前記表示装置に前記第２の画像データが表示されている場合は、前記第１の画像データを表示するように切り替える、
表示制御方法。
【請求項１１】
機密情報を含む第１の画像データと非機密情報である第２の画像データとを保持し、前記第１の画像データ又は前記第２の画像データを表示する表示装置、
前記表示装置に対して、信号を生成し送信するための操作部を有するリモートコントローラ、及び
前記表示装置がそれぞれ取り付けられ、患者毎に払い出された薬剤を搬送するための複数の搬送容器、
を備える、薬剤管理システムであって、
前記リモートコントローラは、前記搬送容器が機密管理領域にあるとき、
前記操作部を特定のユーザが操作することに応じて、前記第１の画像データと前記第２の画像データとを切り替えるための指令信号である第１の画像切替信号を生成する第１の信号生成部と、
前記第１の画像切替信号を複数の前記表示装置に同時に送信する送信部と、
を有し、
前記表示装置は、
前記リモートコントローラより前記第１の画像切替信号を受信する受信部と、
前記第１の画像切替信号に応じて、前記第１の画像データと前記第２の画像データとの切り替えを指令する第１の画像切替部と、
前記第１の画像切替部による指令に応じて、前記第１の画像データ又は前記第２の画像データを表示する表示部と、
を有し、
前記第１の画像切替部は、前記第１の画像切替信号が入力されると、
前記表示部に前記第１の画像データが表示されている場合は、前記表示部に前記第２の画像データを表示させ、
前記表示部に前記第２の画像データが表示されている場合は、前記表示部に前記第１の画像データを表示させる、
第１の画像切替制御を実行する、
薬剤管理システム。
【発明の詳細な説明】
【技術分野】
【０００１】
本発明は、病院やその他の施設において、物品の搬送に際して物品の搬器に取り付けられる表示装置の表示制御に関する。
【背景技術】
【０００２】
近年、例えば、病院では、薬剤を管理する薬剤管理システムの導入が進んでいる。このような薬剤管理システムにおいては、患者毎の薬剤を取り出す場合に、患者毎の処方箋データに基づいて、薬剤を自動で選択して、患者毎のトレイにその薬剤を払い出す薬剤払出装置が用いられる。
この薬剤払出装置によって患者毎に薬剤が払い出されたトレイには、リライタブルカードが配置されている。リライタブルカードには、患者の識別情報や薬剤に関する情報が記録され、表示される（例えば特許文献１参照）。
【先行技術文献】
【特許文献】
【０００３】
【特許文献１】特開２０１０−０６９０００号公報
【発明の概要】
【発明が解決しようとする課題】
【０００４】
一般に、病院の薬剤部に配置される薬剤払出装置にて薬剤が払い出されたトレイは、病院の薬剤部から、ナースステーションに移動される。その後、トレイは、患者の所（例えば病室）に運ばれる。ここで、トレイに取り付けられるリライタブルカードは、患者の個人情報を含む病院の機密情報を表示する必要がある。しかし、従来のリライタブルカードは、そのトレイの移動時（特に病院の薬剤部から、ナースステーションの間の移動時）において、常に機密情報が表示されていた。このため、これらの機密情報が、第３者に漏れる可能性があった。【０００５】
そこで、本発明は、個人情報を含む機密情報が、第３者に漏れることを防止することを目的とするものである。
【課題を解決するための手段】
【０００６】
上記目的を達成するため、本発明の一つの観点によれば、機密情報を含む第１の画像データと非機密情報である第２の画像データとを保持し、第１の画像データ又は第２の画像データを表示する表示装置、及び表示装置に対して信号を生成し送信するための操作部を有するリモートコントローラを備える、表示システムが提供される。リモートコントローラは、操作部を特定のユーザが操作することに応じて、第１の画像データと第２の画像データとを切り替えるための指令信号である第１の画像切替信号を生成する第１の信号生成部と、第１の画像切替信号を表示装置に送信する送信部と、を有する。表示装置は、リモートコントローラより第１の画像切替信号を受信する受信部と、第１の画像切替信号に応じて第１の画像データと第２の画像データとの切り替えを指令する第１の画像切替部と、第１の画像切替部による指令に応じて第１の画像データ又は第２の画像データを表示する表示部と、を有する。第１の画像切替部は、第１の画像切替信号が入力されると、表示部に第１の画像データが表示されている場合は表示部に第２の画像データを表示させ、表示部に第２の画像データが表示されている場合は表示部に第１の画像データを表示させる、第１の画像切替制御を実行する。
【発明の効果】
【０００７】
本発明によれば、個人情報を含む機密情報が、第３者に漏れる可能性を防止することができる。
【図面の簡単な説明】
【０００８】
【図１】本発明の実施形態１における薬剤管理システムの概略構成図
【図２Ａ】実施形態１における表示装置の正面図
【図２Ｂ】同表示装置の側面図
【図３Ａ】実施形態１におけるリモートコントローラの正面図
【図３Ｂ】同リモートコントローラの側面図
【図４】実施形態１における表示システムの機能ブロック図
【図５】実施形態１における表示装置のメモリ部の画像データ記録状態を示す図
【図６】実施形態１における表示装置により表示する第１の画像データ及び第２の画像データの例を示す図
【図７】実施形態１における第１の画像データの書込み動作と第１の画像データの表示動作を示すブロック図
【図８】実施形態１における第２の画像切替制御を示すブロック図
【図９】上記第２の画像切替制御を行った際の表示装置による画像表示の遷移図
【図１０】実施形態１における第１の画像切替制御を示すブロック図
【図１１】上記第１の画像切替制御を行った際の表示装置による画像表示の遷移図
【図１２】実施形態１における画像切替制御を行う際のリモートコントローラによる操作を説明するための図
【図１３】実施形態１におけるリモートコントローラによる処理の流れを示すフローチャート
【図１４】実施形態１におけるデータ書込みユニットによる処理の流れを示すフローチャート
【図１５Ａ】実施形態１における表示装置による処理の流れを示すフローチャート
【図１５Ｂ】実施形態１における表示装置による処理の流れを示すフローチャート
【図１６】その他実施形態における表示装置による処理の流れを示すフローチャート
【発明を実施するための形態】
【０００９】
以下に、本発明の一実施形態を図面とともに詳細に説明する。
＜１．  実施形態１＞
＜１．１  薬剤管理システム１＞
＜１．１．１  薬剤管理システム１の構成＞
図１を用いて、本発明の実施形態１による薬剤管理システム１に関して説明する。図１は、同薬剤管理システム１の概略構成図である。薬剤管理システム１は主に病院において使用される。
【００１０】
薬剤管理システム１は、後述する表示システム１と、薬剤払出装置５により薬剤３が払い出され複数のトレイ４（搬送容器の一例）とを含む。
薬剤払出装置５は、例えば病院の薬剤部Ｐに設置される。薬剤払出装置５は、患者毎の処方箋データに基づいて、患者毎に薬剤３を取り出し、それら薬剤３を自動で選択して患者毎に割り当てられたトレイ４に払い出す。
【００１１】
表示システム１は、後述するように表示装置６とリモートコントローラ７とを備える。
表示装置６は、表示内容が外部から視認可能な状態で薬剤払出装置５の各トレイ４に取り付けられている。表示装置６は、払い出された薬剤３が、どの患者のものであるか等を識別するために、例えば、患者の名前や性別、病棟名、病室、日付、ＩＤ、トレイ枚数等の個人情報を表示する。表示装置６はまた、表示部１６（図２に示す）を有する。表示部１６は、患者の名前や性別、病棟・病室、日付、ＩＤの個人情報等の機密情報を含む第１の画像データ４０等を表示する。この第１の画像データ４０（例えば、図６（ａ）に示す画像データ）は、病院の機密情報として第３者に対して守秘する必要がある情報を含む。更に、本実施形態における表示装置６は、第１の画像データ４０を含む複数の画像データを保存するメモリ部３０（図４及び図５に示す）を有する。表示装置６は、第１の画像データ４０を含む、複数の画像データを切り替える機能を有する。メモリ部３０と複数の画像データを切り替える機能に関しては、後で詳しく説明する。
【００１２】
図１中の表示装置６は、その表示部１６の画像表示状態によって、符号を６Ａ、６Ｂ、６Ｃと３種類に分けて示している。図１において、表示装置６Ａは、初期状態の場合を示す。表示装置６Ｂは、表示部１６が第１の画像データ４０を表示している場合を示す。表示装置６Ｃは、表示部１６が後述の第２の画像データ４１（図６（ｂ）に示す）を表示している場合を示す。なお、表示装置６Ａによる初期状態とは、表示装置６のメモリ部３０内の第１の画像データが消去された状態、又は表示装置６の工場出荷時の状態をいう。メモリ部３０内の第１の画像データが消去される初期状態の生成は、表示装置６Ａが薬剤払出装置５において新たな第１の画像データ４０が書き込まれる前にサーバ９からの指令により行われてもよいし、リモートコントローラの操作により行われてもよい。
【００１３】
＜１．１．２  薬剤管理システム１の動作＞
図１中の点線の矢印で示すように、診察室の例えば端末装置により医者によって作成された処方箋データ（この処方箋データには、患者の名前や性別等が含まれる）は、一旦サーバ９に送信され保管される。その後、サーバ９は、処方箋データに基づいて、表示装置６にて表示するビットマップ形式の第１の画像データ４０を作成する。
【００１４】
サーバ９に保管された処方箋データ及び第１の画像データ４０は、それぞれ、薬剤払出装置５内の薬剤払出ユニット１０と、データ書込みユニット１１とに送信される。
薬剤払出装置５内の薬剤払出ユニット１０は、受信した患者毎の処方箋データに基づいて、トレイ４に薬剤３を払い出す。一方、薬剤払出装置５内のデータ書込みユニット１１は、サーバ９から出力され受信した第１の画像データ４０を表示装置６Ａに送信する。表示装置６は、第１の画像データ４０を表示装置６内のメモリ部３０（図４に図示）に格納するとともに、第１の画像データ４０を表示部１６に表示する。なお、第１の画像データ４０が記録された表示装置は、表示装置６Ｂとして図１に示している。この第１の画像データ４０の記録や表示動作に関しては、後に詳しく説明する。
【００１５】
薬剤３が払い出され、かつ、表示装置６Ｂ（第１の画像データ４０が表示された表示装置）が取り付けられたトレイ４は、薬剤払出装置５から排出される。排出されたトレイ４は、監査部１２において、薬剤師によってトレイ４上の薬剤３が正しいかどうかが確認される。
その後、トレイ４は、一旦、台車１３に格納される。
それぞれ表示装置６Ｂが備えられた複数のトレイ４は、台車１３に格納された後、薬剤部Ｐから、例えば同じ病棟内のナースステーションＮＳへ搬送される。その途中、薬剤部ＰとナースステーションＮＳとの間の搬送経路には、一般的に、来客対応区域等、機密情報か管理されていない機密情報非管理領域ＮＣＡがある。
【００１６】
そこで、本実施形態においては、複数の表示装置６Ｂが取り付けられたトレイ４が格納された台車１３が、薬剤部Ｐから搬出される直前に、表示装置６Ｂの画面に表示されている機密情報を含む第１の画像データ４０を、非機密情報（機密情報を一切含まない情報）である第２の画像データ４１に切り替える。この第２の画像データ４１は、予め、表示装置６内部のメモリ部３０（図４に示す）に格納されている。この画像切替制御（第１の画像切替制御の一例）に関しては、後に詳しく説明する。
【００１７】
以上のように、台車１３中の表示装置６の表示部１６が、すべて非機密情報である第２の画像データ４１を表示するように切り替えられる。なお、この状態の表示装置６は、表示装置６Ｃとして図１に示す。
その後、それぞれ表示装置６Ｃが取り付けられた複数のトレイ４が格納された台車１３は、機密情報非管理領域ＮＣＡを経由し、ナースステーションＮＳに搬入される。
【００１８】
ナースステーションＮＳに搬入されたトレイ４に取り付けられた表示装置６Ｃにおいては、図１に示すように、表示部１６に第２の画像データ４１が表示されている。ナースステーションＮＳにおいては、看護師は、患者の名前や性別等が含まれる処方箋データに相当する第１の画像データ４０に基づいて、トレイ４を各患者が待つ病室へ搬送する。その後、各患者へ薬剤３が投与される。このため、搬入直後の表示装置６Ｃの表示部１６に表示されている第２の画像データ４１を、第１の画像データ４０に切り替える。なお、このとき表示が切り替えられた表示装置６は、表示装置６Ｂとして図１に示す。この切替制御に関しては、後に詳しく説明する。
【００１９】
ナースステーションＮＳにて、表示装置６Ｂが取り付けられたトレイ４は、第１の画像データ４０に基づき、看護師によって病棟内の各患者の元に届けられる。その後、トレイ４内の薬剤３は、患者へ投与される。
薬剤３が投与された後のトレイ４は、病棟から薬剤部Ｐに返却される。この際、表示装置６が取り付けられたトレイ４は、機密情報非管理領域ＮＣＡ内を搬送される。よって、表示装置６の表示部１６に表示された機密情報を含む第１の画像データ４０を、非機密情報である第２の画像データ４１に切り替える。なお、このとき表示が切り替えられた表示装置６は、表示装置６Ｃとして図１に示す。そして、表示部１６に第２の画像データ４１が表示された表示装置６Ｃは、病棟から薬剤部Ｐへ搬送される。その後、薬剤部Ｐへ搬送されたトレイの表示装置６の表示は、第２の画像データ４１から初期状態に切り替えられ、再度、薬剤払出装置５に用いられる。
【００２０】
以上のように、本実施形態における薬剤管理システム１は、表示装置６を取り付けたトレイ４が機密情報管理領域より外部に持ち出されるときは、表示装置６の表示部１６は第２の画像データ４１を表示（図１中の表示装置６Ｃに相当）し、トレイ４が機密情報管理領域（例えば図１中の薬剤部Ｐ、病棟等）にあるときは、表示部１６は第１の画像データ４０を表示する。これにより、トレイ４が機密情報管理領域の外にあるときの機密情報を表示させないようにすることができ、その結果として、個人情報を含む機密情報が、第３者に漏れる可能性を防止することができる。
【００２１】
以下、上記薬剤管理システム１に適用される表示システム２について更に詳しく説明する。
＜１．２．  表示システム２＞
＜１．２．１  表示システム２の構成＞
本実施形態における表示システム２は、前述の表示装置６と、その表示装置６の表示部１６に表示された画像を切りかえるリモートコントローラ１７とを備える。
（１）表示装置６の構成
図２Ａは、本実施形態における表示装置６の正面図であり、図２Ｂは同側面図である。表示装置６は、表示装置本体１８と、ＬＣＤや有機ＥＬディスプレイ等により実現される表示部１６と、リモートコントローラ１７や薬剤払出装置５との信号の送受信を行う送受信部２０とを備える。
【００２２】
表示装置６は、データ書込みユニット１１により第１の画像データ４０が書き込まれる。後述するように表示装置６が取り付けられたトレイ４の薬剤の調剤から与薬までの工程を経て、薬剤払出装置５に返却されると、表示装置６の第１の画像データ４０は消去されて初期状態に戻され（又はリセットされ）て、再利用される。なお、第２の画像データ４１は、初期状態で表示装置６に記録されていてもよいし、第１の画像データ４０の書込み時に同時に書き込み記録されてもよい。
【００２３】
（２）リモートコントローラ１７の構成
図３Ａは、本実施形態におけるリモートコントローラ１７の正面図であり、図３Ｂは同側面図である。リモートコントローラ１７は、リモートコントローラ本体２１と、第１のボタン２２（操作部又は第１の操作部の一例）と、第２のボタン２３（操作部又は第２の操作部の一例）と、送信部２５とを備える。
【００２４】
第１のボタン２２をユーザ（例えば、薬剤師や看護師）が押すことによって、後述するように表示装置６において第１の画像データ４０と第２の画像データ４１とを切替えるための指令信号である第１の画像切替信号が生成される。また、第２のボタン２３をユーザが押すことによって、後述するように第１の画像データ４０に重ねて表示される第３の画像データ４２（図６（ｃ）〜図６（ｆ）に図示）の表示と非表示とを切り替えるための指令信号である第２の画像切替信号が生成される。送信部２５は、入力された第１の画像切替信号、もしくは第２の画像切替信号を、表示装置６に送信する。
リモートコントローラ１７は、特定のユーザにのみ使用が許可されるように管理される。リモートコントローラ１７はまた、病棟内、フロア内、或いはエリア内のみ使用ができるように管理されていてもよい。
【００２５】
（３）表示システム２の機能
図４は、上記表示システム２の機能ブロック図である。
リモートコントローラ１７は、前述の第１のボタン２２及び第２のボタン２３に接続されて第１のボタン２２及び第２のボタン２３から信号を受信し、前述の第１の画像切替信号又は第２の画像切替信号を生成するリモートコントローラ制御部２４を更に備える。リモートコントローラ制御部２４は、第１の信号生成部４６と、第２の信号生成部４７とを備える。第１の信号生成部４６は第１の画像切替信号を生成し、第２の信号生成部４７は第２の画像切替信号を生成する。生成された画像切替信号は、送信部２５へ出力する。
【００２６】
表示装置６は、前述の送受信部２０に接続されて送受信部２０から信号を受信する信号判断部２６（判断部の一例）、画像処理部２７、第１の画像切替部２８、第２の画像切替部２９、メモリ部３０、及び前述の表示部１６を制御する表示部制御部３１を備えている。
送受信部２０は、受信部３２と送信部３３とを含む。受信部３２はリモートコントローラ１７や薬剤払出装置５のデータ書込みユニット１１から出力された信号の受信を行う。送信部３３は、表示装置６の画像処理部２７で生成した完了信号を薬剤払出装置５のデータ書込みユニット１１へ送信する。
【００２７】
信号判断部２６は、受信部３２から入力された信号が、
（Ａ）リモートコントローラ１７から送信された第１の画像切替信号（図１０の信号Ａ）
（Ｂ）リモートコントローラ１７から送信された第２の画像切替信号（図８の信号Ｂ）
（Ｃ）（後述で詳しく説明するが）薬剤払出装置５のデータ書込みユニット１１からの第１の画像データ信号（図７の信号Ｃ）
のうち、どの信号なのかを判断する。その後、入力された信号を、
（ａ）第１の画像切替信号Ａである場合は、第１の画像切替部２８に出力する、
（ｂ）第２の画像切替信号Ｂである場合は、第２の画像切替部２９に出力する、
（ｃ）第１の画像データ信号Ｃである場合は、画像処理部２７に出力する、
という制御を行う。
【００２８】
なお、本実施形態において、（Ａ）〜（Ｃ）の区別・判断の方法は、例えば、（Ａ）〜（Ｃ）の信号の先頭にコマンド部を設け、そのコマンドによって（Ａ）〜（Ｃ）の区別・判断を行う方法を用いる。
画像処理部２７は、入力された第１の画像データ信号Ｃに応じた処理を行い、表示部１６に第１の画像データ４０を表示するための第１の画像データ４０を生成し、表示部制御部３１とメモリ部３０に出力する。
【００２９】
第１の画像切替部２８は、入力された第１の画像切替信号Ａを受信すると、メモリ部３０に格納されている第２の画像データ４１を読み出し、その後、表示部制御部３１に対し、第１の画像データ４０から第２の画像データ４１に切り替える指令を出力する。本実施形態においては、第１の画像切替信号Ａが第１の画像切替部２８に入力される毎に、第１の画像データ４０と第２の画像データ４１を交互に切り替えるように構成している。
【００３０】
第２の画像切替部２９は、入力された第２の画像切替信号Ｂを受信すると、メモリ部３０に格納されている第３の画像データ４２を読み出す。その後、第２の画像切替部２９は、表示部制御部３１に対し、第１の画像データ４０に第３の画像データ４２を重ねて表示するよう指令を出力する。なお、後に詳しく説明するが、本実施形態においては、第３の画像データ４２は４種類用意されている。第２の画像切替部２９は、第２の画像切替信号Ｂを受信する毎に、その４種類の第３の画像データ４２（図６（ｃ）〜図６（ｆ）に示す）を順番に、第１の画像データ４０に重ねて表示するように構成している。
【００３１】
表示部制御部３１は、画像処理部２７より入力された第１の画像データ４０を表示部１６に表示する。また、第１の画像切替部２８から指令信号を受信すると、表示部１６の表示を、第１の画像データ４０と第２の画像データ４１とに交互に切り替える。更に、第２の画像切替部２９から指令信号を受信すると、表示部１６に表示している第１の画像データ４０に第３の画像データ４２を重ねて表示するか、既に第３の画像データ４２が表示されているときは第３の画像データ４２を非表示にする。
【００３２】
信号判断部２６、画像処理部２７、第１の画像切替部２８、第２の画像切替部２９、及び表示部制御部３１は、例えば、プロセッサがメモリに格納されたプログラムを実行することにより上記機能を実行する。
メモリ部３０は、画像処理部２７から入力された第１の画像データ４０や、予め記録されている第２の画像データ４１及び第３の画像データ４２を格納している。本実施形態においては、メモリ部３０として、例えばＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）を用いる。
【００３３】
（４）画像データ
図５は、実施形態１における表示装置６のメモリ部３０に格納される画像データの記録状態を示す。図５に示すように、メモリ部３０内の領域Ａ３４は、第１の画像データ４０を格納する。メモリ部３０内の領域Ｂ３５は、第２の画像データ４１を格納する。メモリ部３０内の領域Ｃ３６、領域Ｄ３７、領域Ｅ３８、領域Ｆ３９は、それぞれ異なる種類の第３の画像データ４２を格納する。
【００３４】
図６は、実施形態１における表示装置６により表示する第１の画像データ４０、第２の画像データ４１、及び第３の画像データ４２の表示例を示す。図６（ａ）は第１の画像データの表示例を示し、図６（ｂ）は第２の画像データ４１の表示例を示し、図６（ｃ）〜図６（ｆ）は第３の画像データ４２の表示例を示す。
図６（ａ）に示すように、第１の画像データ４０は、患者の名前や性別、病棟・病室、日付、ＩＤの個人情報等の機密情報を含む画像データである。
【００３５】
図６（ｂ）に示すように、第２の画像データ４１は、個人情報等の機密情報ではない非機密情報の画像データである。本実施形態において、第２の画像データ４１は、例えば、薬剤管理システム１のユーザ名である「○○○○総合病院」と記述する。第２の画像データ４１は、一般（第３者）に公開してもよい画像データであれば、どのようなものを用いても良い。
【００３６】
また、図６（ｃ）〜図６（ｆ）に示す第３の画像データ４２Ａ、４２Ｂ、４２Ｃ、４２Ｄは、第１の画像データ４０と同時に表示する画像データであり、トレイ４の薬剤３がいずれの段階にあるかを示す情報（薬剤のステータス）を含む。払い出された薬剤３は、薬剤部Ｐにおいて調剤され、監査される。その後、ナースステージーションＮＳを介して薬剤３が患者に与薬され、トレイ４は薬剤払出装置５に返却される。本実施形態においては、第３の画像データ４２Ａ（調剤済）、４２Ｂ（監査済）、４２Ｃ（与薬済）、４２Ｄ（返却）を、それぞれ第１の画像データ４０に重ねて表示部１６に表示する。これにより、図１中の病院における薬剤管理システム１において、表示装置６を搭載するトレイ４が、どの工程（図１中のどのエリア）に滞在するかを表示することができる。よって、実際にこのトレイ４を取り扱う薬剤師や看護師が、トレイ４がどの工程に滞在しているのかを確認することができる。第１の画像データ４０と、いずれの第３の画像データ４２Ａ〜４２Ｄを重ねて表示するかは、後で詳しく説明する。
以上が、表示システム２（表示装置６とリモートコントローラ１７）の構成に関する説明である。
【００３７】
＜１．２．２  表示システム２の動作＞
次に、本実施形態の表示システム２の動作に関して説明する。
本実施形態における表示システム２は、
（１）薬剤払出装置５のデータ書込みユニット１１から表示装置６への第１の画像データ４０の書込み制御と第１の画像データ４０の表示制御
（２）表示装置６の第１の画像切替制御
（３）表示装置６の第２の画像切替制御
を行う。
【００３８】
以下に、（１）〜（３）の各制御の詳細を説明する。
（１）薬剤払出装置５のデータ書込みユニット１１から表示装置６への第１の画像データ４０の書込み制御
図７は、本実施形態における薬剤払出装置５のデータ書込みユニット１１から表示装置６への第１の画像データ４０の書込み制御と、その表示制御を示す。
【００３９】
ここで、薬剤払出装置５のデータ書込みユニット１１は、図７に示すように、書込み制御部４３と、送信部４５／受信部４８を有する送受信部４４とを備える。
図１を参照して病院における薬剤管理システム１について説明したように、サーバ９は、入力された処方箋データに基づいて、表示装置６に表示するビットマップ形式の第１の画像データ４０を作成する。
【００４０】
その後、図７に示すように、サーバ９は、第１の画像データ４０を、薬剤払出装置５のデータ書込みユニット１１内の書込み制御部４３に出力する。第１の画像データ４０が入力された書込み制御部４３は、第１の画像データ４０を無線送信できるようにデータ変換し、その変換した信号を第１の画像データ信号Ｃとして、データ書込みユニット１１内の送受信部４４内の送信部４５へ出力する。このとき、送信される画像データ信号Ｃは、第１の画像データ４０の他に、データ書込みユニット１１の識別情報を含む。その後、送信部４５は、第１の画像データ信号Ｃを、表示装置６の送受信部２０内の受信部３２に送信する。
【００４１】
なお、本実施形態において、薬剤払出装置５のデータ書込みユニット１１と表示装置６との間の通信、及び（後述の）表示装置６とリモートコントローラ１７との間の通信は、例えば、ＩｒＤＡ（Ｉｎｆｒａｒｅｄ  Ｄａｔａ  Ａｓｓｏｃｉａｔｉｏｎ）規格による赤外線通信を用いる。
第１の画像データ信号Ｃを受信した表示装置６の受信部３２は、受信した電気信号を変換（又は復調）し、信号判断部２６へ出力する。信号判断部２６は、入力された信号を認証する。ここで、認証とは、入力された信号に含まれるデータ書込みユニット１１の識別情報と、表示装置６に予めメモリ部３０に格納されたデータ書込みユニット１１の識別情報との対応を判断することにより、データ書込みユニット１１を識別することである。このような認証を行うことにより、対応しないデータ書込みユニット１１により表示装置６の画像データが書きかえられることを防ぐことができる。
【００４２】
そして、信号判断部２６は、前述のように、第１の画像切替信号Ａ、第２の画像切替信号Ｂ、第１の画像データ信号Ｃのうち、どの信号かを判断する。信号判断部２６は、判断した信号に応じて、画像処理部２７、及び第１の画像切替部２８、第２の画像切替部２９のいずれかへ出力をする。ここでは、第１の画像データ信号Ｃが入力されているため、第１の画像データ信号Ｃを画像処理部２７へ出力する。
【００４３】
画像処理部２７は、前述のように、入力された第１の画像データ信号Ｃの処理を行い、表示部１６に第１の画像データ４０を表示するための第１の画像データ４０を生成し、表示部制御部３１とメモリ部３０にそれぞれ出力する。
その後、表示部制御部３１は、画像処理部２７より入力された第１の画像データ４０を表示部１６に表示させる。このときの第１の画像データ４０の一例は、図６（ａ）に示す通りである。
【００４４】
その後、画像処理部２７は、第１の画像データ４０が、表示部１６に表示されたとともに、メモリ部３０への記録が完了されたことを確認し、その完了信号を、送受信部２０内の送信部３３へ出力する。その後、送信部３３は、薬剤払出装置５のデータ書込みユニット１１の受信部４８にその完了信号を送信する。
この完了信号を受信したデータ書込みユニット１１は、現在の表示装置６への第１の画像データ４０の書込み制御が完了したと判断し、薬剤払出装置５の制御部（図示なし）へ書込み完了信号を出力する。この書込み完了信号を受信した薬剤払出装置５の制御部は、薬剤払出装置５における次の動作を開始する。
以上が、薬剤払出装置５のデータ書込みユニット１１から表示装置６への第１の画像データ４０の書込み制御である。
【００４５】
（２）表示装置６の第２の画像切替制御
次に、表示装置６の第２の画像切替制御に関して説明する。
図８は、実施形態１における表示装置６の第２の画像切替制御を示すブロック図である。
リモートコントローラ１７の第２のボタン２３が押されると、リモートコントローラ制御部２４内の第２の信号生成部４７にて、第２の画像切替信号Ｂが生成される。このとき、送信される第２の画像切替信号Ｂは、リモートコントローラ１７の識別情報を含む。この第２の画像切替信号Ｂは、リモートコントローラ制御部２４から送信部２５へ出力される。その後、送信部２５は、第２の画像切替信号Ｂを、表示装置６の送受信部２０内の受信部３２に送信する。
【００４６】
なお、本実施形態においては、表示装置６とリモートコントローラ１７の間の通信は、例えば、ＩｒＤＡ（Ｉｎｆｒａｒｅｄ  Ｄａｔａ  Ａｓｓｏｃｉａｔｉｏｎ）規格による赤外線通信を用いる。
第２の画像切替信号Ｂを受信した表示装置６の受信部３２は、受信した電気信号を変換（又は復調）し、信号判断部２６へ出力する。信号判断部２６は、入力された信号を認証する。ここで、認証とは、入力された信号に含まれるリモートコントローラ１７の識別情報と、表示装置６に予めメモリ部３０に格納されたリモートコントローラ１７の識別情報との対応を判断することにより、リモートコントローラ１７を識別することである。このような認証を行うことにより、対応しないリモートコントローラ１７により表示装置６の画像データが切り替えられることを防ぐことができる。
【００４７】
そして、信号判断部２６は、前述のように、第１の画像切替信号Ａ、第２の画像切替信号Ｂ、第１の画像データ信号Ｃのうち、どの信号かを判断する。信号判断部２６は、判断した信号に応じて、画像処理部２７、第１の画像切替部２８、及び第２の画像切替部２９のいずれかへ出力をする。ここでは、第２の画像切替信号Ｂが入力されているため、第２の画像切替信号Ｂを第２の画像切替部２９へ出力する。
【００４８】
第２の画像切替部２９は、第２の画像切替信号Ｂを受信すると、メモリ部３０に格納されている第３の画像データ４２Ａ〜４２Ｄ（図６）のいずれかを読み出す。その後、表示部制御部３１に、読み出した第３の画像データ４２Ａ〜４２Ｄのいずれかを出力するとともに、第１の画像データ４０に第３の画像データ４２Ａ〜４２Ｄのいずれかを重ねて表示するように指令信号を出力する。第２の画像切替部２９はまた、第２の画像切替信号Ｂを受信したときに第３の画像データ４２が表示されている場合は、非表示とする指令信号を出力する。
【００４９】
本実施形態においては、第２の画像切替信号Ｂを受信する毎に、第３の画像データ選択なし（第３の画像データ非表示）、第３の画像データ４２Ａ（例えば、「調剤済」）、第３の画像データ４２Ｂ（例えば、「監査済」）、第３の画像データ４２Ｃ（例えば、「与薬済」）、第３の画像データ４２Ｄ（例えば、「返却」）、第３の画像データ選択なし、・・・という順番に、選択切替制御を行っている。なお、第３の画像データは、第２の画像切替信号Ｂを受信して切り替わる毎に、少なくともその直前に表示されていた第３の画像データに関する情報（識別情報、フラグ、画像データそのもの等）がメモリ部３０に格納される。第２の画像切替信号Ｂを受信すると、記録されている直前の第３の画像データに関する情報に基づいて、次の第３の画像データを特定し、表示する。
【００５０】
図９は、上述の表示システム２による第２の画像切替制御を行った際の、表示部１６の画像表示状態の遷移を示す。
本実施形態においては、図９に示すように、第２の画像切替信号Ｂを受信する毎に、
Ｓ１：第１の画像データ４０
Ｓ２：第１の画像データ４０＋第３の画像データ４２Ａ
Ｓ３：第１の画像データ４０＋第３の画像データ４２Ｂ
Ｓ４：第１の画像データ４０＋第３の画像データ４２Ｃ
Ｓ５：第１の画像データ４０＋第３の画像データ４２Ｄ
を循環するように、表示装置６の表示部１６を切り替える。
なお、このＳ１〜Ｓ５の画像データは、必ず第１の画像データ４０を含んでいる。
以上が、表示装置６の第２の画像切替制御である。
【００５１】
（３）表示装置６の第１の画像切替制御
次に、表示装置６の第１の画像切替制御に関して説明する。
図１０は、実施形態１における表示装置６の第１の画像切替制御を示すブロック図である。
リモートコントローラ１７の第１のボタン２２が押されると、リモートコントローラ制御部２４内の第１の信号生成部４６にて、第１の画像切替信号Ａが生成される。このとき、送信される第１の画像切替信号Ａは、リモートコントローラ１７の識別情報を含む。この第１の画像切替信号Ａは、リモートコントローラ制御部２４から送信部２５へ出力される。その後、送信部２５は、第１の画像切替信号Ａを、表示装置６の送受信部２０内の受信部３２に送信する。
【００５２】
なお、本実施形態においては、表示装置６とリモートコントローラ１７の間の通信は、例えば、ＩｒＤＡ（Ｉｎｆｒａｒｅｄ  Ｄａｔａ  Ａｓｓｏｃｉａｔｉｏｎ）規格による赤外線通信を用いる。
第１の画像切替信号Ａを受信した表示装置６の受信部３２は、受信した電気信号を変換（又は復調）し、信号判断部２６へ出力する。信号判断部２６は、入力された信号を認証する。ここで、認証とは、入力された信号に含まれるリモートコントローラ１７の識別情報と、表示装置６に予めメモリ部３０に格納されたリモートコントローラ１７の識別情報との対応を判断することにより、リモートコントローラ１７を識別することである。このような認証を行うことにより、対応しないリモートコントローラ１７により表示装置６の画像データが切り替えられることを防ぐことができる。
【００５３】
そして、信号判断部２６は、前述のように、第１の画像切替信号Ａ、第２の画像切替信号Ｂ、第１の画像データ信号Ｃのうち、どの信号かを判断する。信号判断部２６は、判断した信号に応じて、画像処理部２７、第１の画像切替部２８、第２の画像切替部２９のいずれかへ出力をする。ここでは、第１の画像切替信号Ａが入力されているため、第１の画像切替信号Ａを第１の画像切替部２８へ出力する。
【００５４】
第１の画像切替部２８は、第１の画像切替信号Ａを受信すると、以下（Ａ）、もしくは（Ｂ）のどちらかの画像切替制御（第１の画像切替制御の一例）を行う。
（Ａ）現在、表示部１６が、第１の画像データ４０を含む画像を表示している場合は、メモリ部３０より、第２の画像データ４１を読み出し、その第２の画像データ４１を、表示部制御部３１へ出力する。その後、表示部制御部３１から、第３の画像データ４２Ａ〜４２Ｄのどのデータを表示しているか（すなわち、図９中のＳ１〜Ｓ５の、どの画像を表示しているか）の情報を、つまり上述の直前の第３の画像データに関する情報を取得し、メモリ部３０に記録する。
【００５５】
（Ｂ）現在、表示部１６が、第２の画像データ４１を含む画像を表示している場合は、メモリ部３０より、直前に、表示部制御部３１により第３の画像データ４２Ａ〜４２Ｄのどのデータが表示されていたか（すなわち、図９中のＳ１〜Ｓ５の、どの画像を表示されていたか）の情報、つまり直前の第３の画像データに関する情報を読み出す。その後、その情報を基づいて、第１の画像データ４０、及びその直前の第３の画像データ４２Ａ〜４２Ｄ（すなわち図９中のＳ１〜Ｓ５のいずれか）を読み出し、表示部制御部３１へ出力する。
【００５６】
よって、第１の画像切替部２８は、第１の画像切替信号Ａを受信する毎に、少なくとも第１の画像データ４０を含む画像データ（Ｓ１〜Ｓ５）と、第２の画像データ４１とを切り替える。
ここで、前述のように、少なくとも画像データ（Ｓ１〜Ｓ５）を含む画像データは、必ず第１の画像データ４０を含んでいる。また、第１の画像データは、前述の（１）で説明したように、患者の名前や性別、病棟・病室、日付、ＩＤの個人情報等の機密情報を含むものである。すなわち、少なくとも第１の画像データ４０を含む画像データ（Ｓ１〜Ｓ５）は、機密情報を含む画像データである。
【００５７】
言い換えると、第１の画像切替部２８は、第１の画像切替信号Ａが入力されると、表示部１６の画像が第１の画像データ４０の場合は、表示部１６に表示する画像を第１の画像データ４０から第２の画像データ４１に切り替える。もしくは、第１の画像切替部２８は、第１の画像切替信号Ａが入力されると、表示部１６の画像が第２の画像データ４１の場合は、表示部１６に表示する画像を第２の画像データ４１から第１の画像データ４０に切り替える。
【００５８】
図１１は、上述の表示システム２による画像切替制御を行った際の、表示部１６における画像表示状態の遷移を示す。
本実施形態においては、図１１に示すように、第１の画像切替信号Ａを受信する毎に、
Ｓ１：第１の画像データ４０
Ｓ２：第１の画像データ４０＋第３の画像データ４２Ａ
Ｓ３：第１の画像データ４０＋第３の画像データ４２Ｂ
Ｓ４：第１の画像データ４０＋第３の画像データ４２Ｃ
Ｓ５：第１の画像データ４０＋第３の画像データ４２Ｄ
のいずれかと、
Ｔ１：第２の画像データ４１
とを、表示装置６の表示部１６を交互に切り替えるのである。
以上が、表示装置６の第１の画像切替制御である。
【００５９】
（４）本実施形態における第１の画像切替制御後の誤動作の防止
次に、本実施形態における上述の表示システム２による制御に関し、その他の特徴に関して説明する。
図１２は、本実施形態における第１の画像データ４０と第２の画像データ４１間の画像切替制御を行う際のリモートコントローラ１７による操作の一例を示す。
前述の（１）で説明したように、表示装置６がそれぞれ取り付けられた複数のトレイ４は、台車１３に格納された後、薬剤部Ｐから病棟内のナースステーションＮＳへ搬送される。その途中の機密情報非管理領域ＮＣＡを通過する際、各トレイ４の表示装置６の表示部１６の表示は、第１の画像データ４０から第２の画像データ４１に切り替えられる。本実施形態においては、図１２に示すように１つのリモートコントローラ１７を用いて、複数の表示装置６の表示を一度に切り替える。
【００６０】
ここで、本実施形態においては、１回のリモートコントローラ１７の操作によって、複数の表示装置６の画像切替制御を行うが、図１２に示すように、全ての表示装置６の画像を切り替えるためにはリモートコントローラ１７を移動させつつ第１のボタン２２を連続して複数回押す必要がある。しかし、リモートコントローラ１７のＩｒＤＡ規格による赤外線通信の赤外線の範囲が前回の操作時の範囲と重複することによって、すでに所望の画像（ここでは、第２の画像データ４１）に切り替えたのにも関わらず、再度元の画像表示（ここでは、第１の画像データ４０）に戻ってしまうという誤動作が生じる可能性がある。
従って、本実施形態においては、第１の画像データ４０と第２の画像データ４１間の画像切替制御を実行後所定の時間、表示装置６による第１の画像切替信号Ａの受信を無効とする受信無効期間を設ける。その結果として、画像切替動作後の誤動作を防止することができる。
【００６１】
＜１．３  表示システム２による制御＞
以下、図１３〜１５を参照して、表示システム２による制御の流れを説明する。
＜１．３．１  リモートコントローラ１７による制御＞
図１３はリモートコントローラ１７（図４に示す）による制御の流れを示す。
【００６２】
ステップＳ１１１：ユーザによりリモートコントローラ１７のボタン操作が行われる。
ステップＳ１１２：リモートコントローラ制御部２４は、第１のボタン２２又は第２のボタン２３のいずれから信号が入力されたかを判断する。第１のボタン２２から信号が入力された場合はステップＳ１１３に進み、第２のボタン２３から信号が入力された場合はステップＳ１１４に進む。
【００６３】
ステップＳ１１３：リモートコントローラ制御部２４の第１の信号生成部４６により第１の画像切替信号Ａが生成される。
ステップＳ１１４：リモートコントローラ制御部２４の第２の信号生成部４７により第２の画像切替信号Ｂが生成される。
ステップＳ１１５：送信部２５により、表示装置６に対しステップＳ１１３又はステップＳ１１４において生成された画像切替信号が送信される。
【００６４】
＜１．３．２  リモートコントローラ１７による制御＞
図１４は、薬剤払出装置５のデータ書込みユニット１１（図７に示す）による制御の流れを示す。
ステップＳ１２１：データ書込みユニット１１は、サーバ９において処方箋データに基づいて作成された画像データ４０を受信する。
ステップＳ１２２：画像データ４０は、書込み制御部４３によりデータ変換され、第１の画像データ信号Ｃが生成される。そして、第１の画像データ信号Ｃは、送信部４５を介して表示装置６に送信される。
ステップＳ１２３：受信部４８は、表示装置６により第１の画像データ４０が受信され記録されたことを示す完了信号を受信した場合は、処理を終了する。
【００６５】
＜１．３．３  表示装置６による制御＞
図１５Ａ及び図１５Ｂは、表示装置６（図４に示す）による制御の流れを示す。
ステップＳ１３１：表示装置６の受信部は、信号を受信する。
ステップＳ１３２：信号判断部２６により、受信された信号がリモートコントローラ１７からの信号かどうかを判断される。これは、上述したように、受信された信号に含まれるリモートコントローラ１７の識別情報と、予め記録された識別情報とが対応するかどうかが判断されることにより、行われる。リモートコントローラ１７の識別情報の認証が成功すれば、ステップＳ１３２に進み、認証が成功しなければステップＳ１４０（図１５）に進む。
【００６６】
ステップＳ１３２：信号判断部２６により、受信された信号が第１画像切替信号であるか、第２画像切替信号であるかを判断する。第１画像切替信号である場合はステップＳ１３４に進み、第２画像切替信号である場合はステップＳ１３８に進む。
ステップＳ１３４：第１の画像切替部２８により、第１画像切替信号の受信無効期間であるかどうかを判断し、受信無効期間である場合は処理を終了し、受信無効期間でない場合はステップＳ１３５に進む。
【００６７】
ステップＳ１３５：第１の画像切替部２８により、表示部１６に表示されている画像データが第１の画像データ４０か第２の画像データ４１かを判断する。第１の画像データ４０である場合はステップＳ１３７に進み、第２の画像データ４１である場合はステップＳ１３６に進む。
ステップＳ１３６：第１の画像切替部２８は、メモリ部３０より第１の画像データ４０と直前の第３の画像データ（非表示も含む）とを読み出し、表示部制御部３１を介して表示部１６に表示させる。
【００６８】
ステップＳ１３７：一方、第１の画像切替部２８は、メモリ部３０より第２の画像データを読み出し、表示部制御部３１を介して表示部１６に表示させる。
ステップＳ１３８：一方、ステップＳ１３３において受信された信号が第２画像切替信号である場合は、第２の画像切替部２９により、メモリ部３０より直前の第３の画像データの次の第３の画像データ（非表示も含む）を読み出し、表示部制御部３１を介して表示部１６に表示させる。
【００６９】
ステップＳ１３９：メモリ部３０における、直前に表示した第３の画像データに関する情報を更新する。
ステップＳ１４０：一方、ステップＳ１３２において受信された信号がリモートコントローラ１７の信号でない場合、信号判断部２６は、データ書込みユニット１１の信号であるかどうかを判断し、データ書込みユニット１１の信号である場合はステップＳ１４１に進む。
【００７０】
ステップＳ１４１：画像処理部２７により、受信された信号に基づき第１の画像データ４０が生成され、表示部制御部３１を介して表示部１６に表示させる。また、第１の画像データ４０はメモリ部３０に格納される。
ステップＳ１４２：送信部３３により、完了信号がデータ書込みユニット１１に送信される。
なお、上記制御の流れは一例であり、その手順や処理の数は上記に限定されない。例えば、ステップＳ１３２（リモートコントローラ１７の認証）とステップＳ１４０（データ書込みユニット１１の認証）は順番を入れ替えてもよい。
【００７１】
＜１．４  本実施形態におけるその他の特徴＞
本実施形態における表示装置６は、第１の画像切替制御の開始指示を、表示装置６に対応する外部装置（本実施形態ではリモートコントローラ１７）からのみ実施できるようにしてある。更に、この外部装置を用いた画像切替制御（第１の画像データ４０と第２の画像データ４１との切り替え）を、機密情報が管理されている領域（例えば、薬剤部ＰやナースステーションＮＳ）のみで実施できるようにしている。
【００７２】
具体的には、本実施形態では、薬剤部ＰとナースステーションＮＳに、それぞれ少なくとも１つのリモートコントローラ１７を配置し、薬剤部ＰとナースステーションＮＳという機密情報が管理されている領域からの持ち運びを禁止している。
すなわち、表示システム２においては、表示装置６による第１の画像データ４０と第２の画像データ４１との画像切替制御を、表示装置６の外部装置からのみ指示できる。更に、表示システム２における表示装置６の画像切替制御を行う外部装置を、機密情報が管理されている領域から持ち出すことを禁止している。これによって、トレイ４が機密情報管理領域の外にあるときに、表示装置６の盗難等、故意的な第３者による、個人情報を含む機密情報の漏洩のリスクを回避することができる。その結果、個人情報を含む機密情報の漏洩をより確実に防止することができる。
【００７３】
＜１．５  実施形態１の効果＞
以上のように、本実施形態による表示システム２は、機密情報を含む第１の画像データ４０と非機密情報である第２の画像データ４１とを保持し、第１の画像データ４０又は第２の画像データ４１を表示する表示装置６、及び表示装置６に対して信号を生成し送信するための操作部２２，２３を有するリモートコントローラ１７、を備える。リモートコントローラ１７は、操作部２２、２３を特定のユーザが操作することに応じて、第１の画像データ４０と第２の画像データ４１とを切り替えるための指令信号である第１の画像切替信号Ａを生成する第１の信号生成部４６と、第１の画像切替信号Ａを表示装置６に送信する送信部２５と、を有する。表示装置６は、リモートコントローラ１７より第１の画像切替信号Ａを受信する受信部３２と、第１の画像切替信号Ａに応じて第１の画像データ４０と第２の画像データ４１との切り替えを指令する第１の画像切替部２８と、第１の画像切替部２８による指令に応じて第１の画像データ４０又は第２の画像データ４１を表示する表示部１６と、を有する。第１の画像切替部２８は、第１の画像切替信号Ａが入力されると、表示部１６に第１の画像データ４０が表示されている場合は表示部１６に第２の画像データ４１を表示させ、表示部１６に第２の画像データ４１が表示されている場合は表示部１６に第１の画像データ４０を表示させる、第１の画像切替制御を実行する。このため、この表示装置６を用いるトレイ４が機密情報管理領域より外部に持ち出されるときに、表示装置６は第２の画像データ４１を表示させ、トレイ４が機密情報管理領域内にあるときは、表示部１６は第１の画像データ４０を表示させることができる。これにより、トレイ４が機密情報管理領域の外にあるときに機密情報を表示させないようにすることができ、その結果として、個人情報を含む機密情報が、第３者に漏れることをより確実に防止することができる。
【００７４】
本実施形態による表示システム２においては、表示装置６は、第１の画像データ４０と第２の画像データ４１との画像切替制御を実行後の所定時間、新たな第１の画像切替信号の受信を無効とする。このため、画像切替動作後の誤動作を防止することができる。
本実施形態による表示システム２においては、リモートコントローラ１７は更に、操作部２２，２３を特定のユーザが操作することに応じて、一以上の第３の画像データ４２の表示と非表示とを切り替えるための指令信号である第２の画像切替信号Ｂを生成する第２の信号生成部４６を有し、表示装置６は更に、一以上の第３の画像データ４２を保持し、受信部３２により第２の画像切替信号Ｂを受信し、同第２の画像切替信号Ｂに応じて、第３の画像データ４２の表示と非表示との切り替えを指令する第２の画像切替部２９を有し、表示部１６は、第２の画像切替部２９による指令に応じて第１の画像データ４０上に重ねて第３の画像データ４２を表示する。このため、表示システム２の利便性を高めることができる。
【００７５】
本実施形態による表示システム２においては、第３の画像データ４２は複数であり、第２の画像切替部２９は、第２の画像切替信号Ｂが入力される度に、複数の第３の画像データ４２及び第３の画像データ４２の非表示を順次切り替えて表示部１６に表示させる。このため、表示システム２の利便性を更に高めることができる。
本実施形態による表示システム２においては、リモートコントローラ１７の操作部は、第１のボタン２２と第２のボタン２３とを含み、第１の信号生成部４６は、特定のユーザが第１のボタン２２を操作することに応じて、第１の画像切替信号Ａを生成し、第２の信号生成部４７は、特定のユーザが第２のボタン２３を操作することに応じて、第２の画像切替信号Ｂを生成する。このため、トレイ４に搭載された薬剤の管理と機密情報の管理とを容易に実現することができる。また、ユーザによる操作ミスを防止するともに、ユーザの操作の負担も軽減できる。
【００７６】
本実施形態による表示システム２を用いた薬剤管理システム１においては、表示装置６は、トレイ４が機密情報管理領域より外部に持ち出されるときは、表示部１６に第２の画像データ４１を表示させ（図１の表示装置６Ｃに相当）、トレイ４が機密情報管理領域（例えば図１の薬剤部Ｐ、病棟等）にあるときは、表示部１６に第１の画像データ４０を表示させる。これにより、個人情報を含む機密情報が、第３者に漏れる可能性を防止することができる。
【００７７】
＜２．その他実施形態＞
本発明の実施形態は、前述の実施形態に限られず、本発明の趣旨を逸脱しない範囲で種々の修正、変更及び組み合わせが可能である。また、前述の実施形態は、本質的に好ましい例示であって、本発明、その適用物、あるいはその用途の範囲を制限することを意図するものではない。例えば、以下のような変更が可能である。
【００７８】
＜２．１＞
上記実施形態においては、表示装置６は、リモートコントローラ１７から送信されてきた第１の画像切替信号Ａ又は第２の画像切替信号に含まれるリモートコントローラ１７の識別情報と、表示装置６に予めメモリ部３０に格納されたリモートコントローラ１７の識別情報との対応を判断し、一致するかどうかを判断し、認証を行う。これに代えて、表示装置６は、データ書込みユニット１１により送信された第１の画像データに含まれる識別情報と、第１の画像切替信号Ａ又は第２の画像切替信号に含まれるリモートコントローラ１７の識別情報との対応を判断するようにしてもよい。この場合、第１の画像データに含まれる識別情報は、リモートコントローラ１７の識別情報と対応付けられた情報である。
【００７９】
例えば、異なるＩＤを割り当てられたリモートコントローラ１７を複数使用する場合、表示装置６に第１の画像データが書き込まれる度に、表示装置６に記録されているリモートコントローラ１７の識別情報を変更しなければならない。しかし、リモートコントローラ１７の認証を、データ書込みユニット１１により送信された画像データに含まれる識別情報により行えば、表示装置６に記録されているリモートコントローラ１７の識別情報を変更する必要はない。また、異なるＩＤを割り当てられたリモートコントローラ１７を複数使用する場合においても、表示装置６はリセット後において、表示装置６側においてリモートコントローラ１７のＩＤを更新する必要はなく、表示装置６を再利用することができる。
【００８０】
図１６は、表示装置６による上記制御の流れを示す。なお、ステップＳ２３１〜Ｓ２３６は、上記実施形態１の図１５ＡのステップＳ１３１〜Ｓ１３２と、図１５ＢのステップＳ１４０〜Ｓ１４０に対応する処理である。
ステップＳ２３１：表示装置６の受信部３２は、信号を受信する。
ステップＳ２３２：信号判断部２６は、データ書込みユニット１１の信号であるかどうかを判断し、データ書込みユニット１１の信号でない場合はステップＳ２３３に進み、データ書込みユニット１１の信号である場合はステップＳ２３５に進む。
【００８１】
ステップＳ２３３：信号判断部２６は、メモリ部３０より第１の画像データに含まれるリモートコントローラ１７の識別情報を読み出す。
ステップＳ２３４：信号判断部２６は、読み出された第１の画像データの識別情報と、受信された信号に含まれるリモートコントローラ１７の識別情報との対応を判断する。識別情報が一致すれば、図１５ＡのステップＳ１３３へ進み、その後は上記実施形態１と同様の処理を行う。識別情報が一致しなければ処理を終了する。
【００８２】
ステップＳ２３５：画像処理部２７により、受信された信号に基づき第１の画像データ４０が生成され、表示部制御部３１を介して表示部１６に表示させる。また、第１の画像データ４０はメモリ部３０に格納される。
ステップＳ２３６：送信部３３により、完了信号がデータ書込みユニット１１に送信される。
【００８３】
＜２．２＞
上記実施形態１においては、表示システム２は、病院において使用される薬剤払出装置５に適用されているが、これに限定されない。例えば、工場において製造ライン間を搬送される部品の容器に取り付けられる表示装置を用いた表示システムとしても利用できる。この場合、搬送経路の機密情報管理領域においては表示装置には部品を特定する名称や製造工程等の機密情報を表示し、機密情報管理領域外においては表示を非機密データに切り替える。また、同様に、物流に付される宅配物や郵便物の中身を表示するための表示装置を用いた表示システムとしても利用できる。
【００８４】
＜２．３＞
上記実施形態１においては、リモコンの操作部（ボタン）は２つ設けているが１つであっても、３つ以上であってもよい。ボタンが１つの場合、例えば、ボタンを押す度に、第１の画像データ４０、第１の画像データ４０＋第３の画像データ４２Ａ（調剤済）、第１の画像データ４０＋第３の画像データ４２Ｂ（監査済）、第２の画像データ４１、第１の画像データ４０＋第３の画像データ４２Ｃ（与薬済）、第１の画像データ４０＋第３の画像データ４２Ｄ（返却）、第１の画像データ４０・・・とように、表示が切り替わるようにする。
【００８５】
＜２．４＞
リモートコントローラ１７は、ユーザに対する認証機能を有していてもよい。認証機能は、例えば、ユーザが有するＩＤカードや携帯機器とのコード認証、ユーザの生体認証等である。
【００８６】
＜２．５＞
上記実施形態においては、第１の画像切替制御を実施後所定の時間、表示装置６による第１の画像切替信号Ａの受信を無効とする受信無効期間を設けている。この受信無効期間の設定は、領域毎に設定及び非設定とてもよい。
【００８７】
例えば、上記実施形態においては、通常、第１の画像データ複数の表示装置６の表示を一度に切り替える場合とは、機密情報管理領域において行われる第１の画像切替制御時である。よって、表示装置６がかかる領域内にあることを判断する手段（例えば、センサによるエリア検知等）を表示装置６に設けて、第１の画像切替信号Ａの受信無効を設定し、当該領域外にある場合は第１の画像切替信号Ａの受信無効を設定する。
これにより、第１の画像切替信号Ａの受信無効を設定による不便を回避することができる。
【００８８】
＜２．６＞
上記実施形態において、表示装置６は、表示部１６に第１の画像データ４０と第３の画像データとが表示されている間に第１の画像切替信号Ａを受信した場合は、第３の画像データが表示されたまま第２の画像データ４１に切り替えるようにしてもよい。ただし、第３の画像データは機密情報ではない場合に限られる。
この場合、第２の画像データ４１が表示されているときにも薬剤のステータスをユーザが把握できるというメリットがある。
【００８９】
＜２．７＞
本発明においては、表示システム２による制御は、表示装置６に対する薬剤払出装置５のデータ書込みユニット１１による第１の画像データ書込み制御を含まなくてもよい。
また、本発明は、表示システム２又は表示装置６としてだけでなく、表示制御方法としても実現できる。
【産業上の利用可能性】
【００９０】
本発明は、搬送される物品に関して機密情報を表示する表示装置等に有用に利用できる。
【符号の説明】
【００９１】
１  薬剤管理システム
３  薬剤
４  トレイ（搬送容器の一例）
５  薬剤払出装置
６、６Ａ、６Ｂ、６Ｃ 表示装置
９  サーバ
１０  薬剤払出ユニット
１１  データ書込みユニット
１２  監査部
１３  台車
１６  表示部
１７  リモートコントローラ
１８  表示装置本体
２０  送受信部
２１  リモートコントローラ本体
２２  第１のボタン（操作部又は第１の操作部の一例）
２３  第２のボタン（操作部又は第２の操作部の一例）
２４  リモートコントローラ制御部
２５  （リモートコントローラの）送信部
２６  信号判断部（判断部の一例）
２７  画像処理部
２８  第１の画像切替部
２９  第２の画像切替部
３０  メモリ部
３１  表示部制御部
３２  （表示装置の）受信部
３３  （表示装置の）送信部
３４  領域Ａ
３５  領域Ｂ
３６  領域Ｃ
３７  領域Ｄ
３８  領域Ｅ
３９  領域Ｆ
４０  第１の画像データ
４１  第２の画像データ
４２、４２Ａ、４２Ｂ、４２Ｃ、４２Ｄ  第３の画像データ
４３  書込み制御部
４４  （データ書込みユニットの）送受信部
４５  （データ書込みユニットの）送信部
４６  第１の信号生成部
４７  第２の信号生成部
４８  （データ書込みユニットの）受信部
Ａ  第１の画像切替信号
Ｂ  第２の画像切替信号
Ｃ  第１の画像データ信号
Ｓ１  第１の画像データ４０
Ｓ２  第１の画像データ４０＋第３の画像データ４２Ａ
Ｓ３  第１の画像データ４０＋第３の画像データ４２Ｂ
Ｓ４  第１の画像データ４０＋第３の画像データ４２Ｃ
Ｓ５  第１の画像データ４０＋第３の画像データ４２Ｄ
Ｔ１  第２の画像データ４１
Ｐ    薬剤部
ＮＳ  ナースステーション
ＮＣＡ  機密情報非管理領域
【図１】
2012086209.tif 000003
【図２Ａ】
2012086209.tif 000004
【図２Ｂ】
2012086209.tif 000005
【図３Ａ】
2012086209.tif 000006
【図３Ｂ】
2012086209.tif 000007
【図４】
2012086209.tif 000008
【図５】
2012086209.tif 000009
【図６】
2012086209.tif 000010
【図７】
2012086209.tif 000011
【図８】
2012086209.tif 000012
【図９】
2012086209.tif 000013
【図１０】
2012086209.tif 000014
【図１１】
2012086209.tif 000015
【図１２】
2012086209.tif 000016
【図１３】
2012086209.tif 000017
【図１４】
2012086209.tif 000018
【図１５Ａ】
2012086209.tif 000019
【図１５Ｂ】
2012086209.tif 000020
【図１６】
2012086209.tif 000021
【手続補正書】
【提出日】平成25年6月4日(2013.6.4)
【手続補正１】
【補正対象書類名】明細書
【補正対象項目名】全文
【補正方法】変更
【補正の内容】
【発明の詳細な説明】
【技術分野】
【０００１】
本発明は、病院やその他の施設において、物品の搬送に際して物品の搬器に取り付けられる表示装置の表示制御に関する。
【背景技術】
【０００２】
近年、例えば、病院では、薬剤を管理する薬剤管理システムの導入が進んでいる。このような薬剤管理システムにおいては、患者毎の薬剤を取り出す場合に、患者毎の処方箋データに基づいて、薬剤を自動で選択して、患者毎のトレイにその薬剤を払い出す薬剤払出装置が用いられる。
この薬剤払出装置によって患者毎に薬剤が払い出されたトレイには、リライタブルカードが配置されている。リライタブルカードには、患者の識別情報や薬剤に関する情報が記録され、表示される（例えば特許文献１参照）。
【先行技術文献】
【特許文献】
【０００３】
【特許文献１】特開２０１０−０６９０００号公報
【発明の概要】
【発明が解決しようとする課題】
【０００４】
一般に、病院の薬剤部に配置される薬剤払出装置にて薬剤が払い出されたトレイは、病院の薬剤部から、ナースステーションに移動される。その後、トレイは、患者の所（例えば病室）に運ばれる。ここで、トレイに取り付けられるリライタブルカードは、患者の個人情報を含む病院の機密情報を表示する必要がある。しかし、従来のリライタブルカードは、そのトレイの移動時（特に病院の薬剤部から、ナースステーションの間の移動時）において、常に機密情報が表示されていた。このため、これらの機密情報が、第３者に漏れる可能性があった。
【０００５】
そこで、本発明は、個人情報を含む機密情報が、第３者に漏れることを防止することを目的とするものである。
【課題を解決するための手段】
【０００６】
上記目的を達成するため、本発明の一つの観点によれば、機密情報を含む第１の画像データと非機密情報である第２の画像データとを保持し、第１の画像データ又は第２の画像データを表示する表示装置、及び表示装置に対して信号を生成し送信するための操作部を有するリモートコントローラを備える、表示システムが提供される。リモートコントローラは、操作部を特定のユーザが操作することに応じて、第１の画像データと第２の画像データとを切り替えるための指令信号である第１の画像切替信号を生成する第１の信号生成部と、第１の画像切替信号を表示装置に送信する送信部と、を有する。表示装置は、リモートコントローラより第１の画像切替信号を受信する受信部と、第１の画像切替信号に応じて第１の画像データと第２の画像データとの切り替えを指令する第１の画像切替部と、第１の画像切替部による指令に応じて第１の画像データ又は第２の画像データを表示する表示部と、を有する。第１の画像切替部は、第１の画像切替信号が入力されると、表示部に第１の画像データが表示されている場合は表示部に第２の画像データを表示させ、表示部に第２の画像データが表示されている場合は表示部に第１の画像データを表示させる、第１の画像切替制御を実行する。
【発明の効果】
【０００７】
本発明によれば、個人情報を含む機密情報が、第３者に漏れる可能性を防止することができる。
【図面の簡単な説明】
【０００８】
【図１】本発明の実施形態１における薬剤管理システムの概略構成図
【図２Ａ】実施形態１における表示装置の正面図
【図２Ｂ】同表示装置の側面図
【図３Ａ】実施形態１におけるリモートコントローラの正面図
【図３Ｂ】同リモートコントローラの側面図
【図４】実施形態１における表示システムの機能ブロック図
【図５】実施形態１における表示装置のメモリ部の画像データ記録状態を示す図
【図６】実施形態１における表示装置により表示する第１の画像データ及び第２の画像データの例を示す図
【図７】実施形態１における第１の画像データの書込み動作と第１の画像データの表示動作を示すブロック図
【図８】実施形態１における第２の画像切替制御を示すブロック図
【図９】上記第２の画像切替制御を行った際の表示装置による画像表示の遷移図
【図１０】実施形態１における第１の画像切替制御を示すブロック図
【図１１】上記第１の画像切替制御を行った際の表示装置による画像表示の遷移図
【図１２】実施形態１における画像切替制御を行う際のリモートコントローラによる操作を説明するための図
【図１３】実施形態１におけるリモートコントローラによる処理の流れを示すフローチャート
【図１４】実施形態１におけるデータ書込みユニットによる処理の流れを示すフローチャート
【図１５Ａ】実施形態１における表示装置による処理の流れを示すフローチャート
【図１５Ｂ】実施形態１における表示装置による処理の流れを示すフローチャート
【図１６】その他実施形態における表示装置による処理の流れを示すフローチャート
【発明を実施するための形態】
【０００９】
以下に、本発明の一実施形態を図面とともに詳細に説明する。
＜１．  実施形態１＞
＜１．１  薬剤管理システム１＞
＜１．１．１  薬剤管理システム１の構成＞
図１を用いて、本発明の実施形態１による薬剤管理システム１に関して説明する。図１は、同薬剤管理システム１の概略構成図である。薬剤管理システム１は主に病院において使用される。
【００１０】
薬剤管理システム１は、後述する表示システム２と、薬剤払出装置５により薬剤３が払い出される複数のトレイ４（搬送容器の一例）とを含む。
薬剤払出装置５は、例えば病院の薬剤部Ｐに設置される。薬剤払出装置５は、患者毎の処方箋データに基づいて、患者毎に薬剤３を取り出し、それら薬剤３を自動で選択して患者毎に割り当てられたトレイ４に払い出す。
【００１１】
表示システム２は、後述するように表示装置６とリモートコントローラ７とを備える。
表示装置６は、表示内容が外部から視認可能な状態で薬剤払出装置５の各トレイ４に取り付けられている。表示装置６は、払い出された薬剤３が、どの患者のものであるか等を識別するために、例えば、患者の名前や性別、病棟名、病室、日付、ＩＤ、トレイ枚数等の個人情報を表示する。表示装置６はまた、表示部１６（図２に示す）を有する。表示部１６は、患者の名前や性別、病棟・病室、日付、ＩＤの個人情報等の機密情報を含む第１の画像データ４０等を表示する。この第１の画像データ４０（例えば、図６（ａ）に示す画像データ）は、病院の機密情報として第３者に対して守秘する必要がある情報を含む。更に、本実施形態における表示装置６は、第１の画像データ４０を含む複数の画像データを保存するメモリ部３０（図４及び図５に示す）を有する。表示装置６は、第１の画像データ４０を含む、複数の画像データを切り替える機能を有する。メモリ部３０と複数の画像データを切り替える機能に関しては、後で詳しく説明する。
【００１２】
図１中の表示装置６は、その表示部１６の画像表示状態によって、符号を６Ａ、６Ｂ、６Ｃと３種類に分けて示している。図１において、表示装置６Ａは、初期状態の場合を示す。表示装置６Ｂは、表示部１６が第１の画像データ４０を表示している場合を示す。表示装置６Ｃは、表示部１６が後述の第２の画像データ４１（図６（ｂ）に示す）を表示している場合を示す。なお、表示装置６Ａによる初期状態とは、表示装置６のメモリ部３０内の第１の画像データが消去された状態、又は表示装置６の工場出荷時の状態をいう。メモリ部３０内の第１の画像データが消去される初期状態の生成は、表示装置６Ａが薬剤払出装置５において新たな第１の画像データ４０が書き込まれる前にサーバ９からの指令により行われてもよいし、リモートコントローラ１７の操作により行われてもよい。
【００１３】
＜１．１．２  薬剤管理システム１の動作＞
図１中の点線の矢印で示すように、診察室の例えば端末装置により医者によって作成された処方箋データ（この処方箋データには、患者の名前や性別等が含まれる）は、一旦サーバ９に送信され保管される。その後、サーバ９は、処方箋データに基づいて、表示装置６にて表示するビットマップ形式の第１の画像データ４０を作成する。
サーバ９に保管された処方箋データ及び第１の画像データ４０は、それぞれ、薬剤払出装置５内の薬剤払出ユニット１０と、データ書込みユニット１１とに送信される。
薬剤払出装置５内の薬剤払出ユニット１０は、受信した患者毎の処方箋データに基づいて、トレイ４に薬剤３を払い出す。一方、薬剤払出装置５内のデータ書込みユニット１１は、サーバ９から出力され受信した第１の画像データ４０を表示装置６Ａに送信する。表示装置６は、第１の画像データ４０を表示装置６内のメモリ部３０（図４に図示）に格納するとともに、第１の画像データ４０を表示部１６に表示する。なお、第１の画像データ４０が記録された表示装置は、表示装置６Ｂとして図１に示している。この第１の画像データ４０の記録や表示動作に関しては、後に詳しく説明する。
【００１４】
薬剤３が払い出され、かつ、表示装置６Ｂ（第１の画像データ４０が表示された表示装置）が取り付けられたトレイ４は、薬剤払出装置５から排出される。排出されたトレイ４は、監査部１２において、薬剤師によってトレイ４上の薬剤３が正しいかどうかが確認される。
その後、トレイ４は、一旦、台車１３に格納される。
【００１５】
それぞれ表示装置６Ｂが備えられた複数のトレイ４は、台車１３に格納された後、薬剤部Ｐから、例えば同じ病棟内のナースステーションＮＳへ搬送される。その途中、薬剤部ＰとナースステーションＮＳとの間の搬送経路には、一般的に、来客対応区域等、機密情報か管理されていない機密情報非管理領域ＮＣＡがある。
そこで、本実施形態においては、複数の表示装置６Ｂが取り付けられたトレイ４が格納された台車１３が、薬剤部Ｐから搬出される直前に、表示装置６Ｂの画面に表示されている機密情報を含む第１の画像データ４０を、非機密情報（機密情報を一切含まない情報）である第２の画像データ４１に切り替える。この第２の画像データ４１は、予め、表示装置６内部のメモリ部３０（図４に示す）に格納されている。この画像切替制御（第１の画像切替制御の一例）に関しては、後に詳しく説明する。
【００１６】
以上のように、台車１３中の表示装置６の表示部１６が、すべて非機密情報である第２の画像データ４１を表示するように切り替えられる。なお、この状態の表示装置６は、表示装置６Ｃとして図１に示す。
その後、それぞれ表示装置６Ｃが取り付けられた複数のトレイ４が格納された台車１３は、機密情報非管理領域ＮＣＡを経由し、ナースステーションＮＳに搬入される。
【００１７】
ナースステーションＮＳに搬入されたトレイ４に取り付けられた表示装置６Ｃにおいては、図１に示すように、表示部１６に第２の画像データ４１が表示されている。ナースステーションＮＳにおいては、看護師は、患者の名前や性別等が含まれる処方箋データに相当する第１の画像データ４０に基づいて、トレイ４を各患者が待つ病室へ搬送する。その後、各患者へ薬剤３が投与される。このため、搬入直後の表示装置６Ｃの表示部１６に表示されている第２の画像データ４１を、第１の画像データ４０に切り替える。なお、このとき表示が切り替えられた表示装置６は、表示装置６Ｂとして図１に示す。この切替制御に関しては、後に詳しく説明する。
【００１８】
ナースステーションＮＳにて、表示装置６Ｂが取り付けられたトレイ４は、第１の画像データ４０に基づき、看護師によって病棟内の各患者の元に届けられる。その後、トレイ４内の薬剤３は、患者へ投与される。
薬剤３が投与された後のトレイ４は、病棟から薬剤部Ｐに返却される。この際、表示装置６が取り付けられたトレイ４は、機密情報非管理領域ＮＣＡ内を搬送される。よって、表示装置６の表示部１６に表示された機密情報を含む第１の画像データ４０を、非機密情報である第２の画像データ４１に切り替える。なお、このとき表示が切り替えられた表示装置６は、表示装置６Ｃとして図１に示す。そして、表示部１６に第２の画像データ４１が表示された表示装置６Ｃは、病棟から薬剤部Ｐへ搬送される。その後、薬剤部Ｐへ搬送されたトレイの表示装置６の表示は、第２の画像データ４１から初期状態に切り替えられ、再度、薬剤払出装置５に用いられる。
【００１９】
以上のように、本実施形態における薬剤管理システム１は、表示装置６を取り付けたトレイ４が機密情報管理領域より外部に持ち出されるときは、表示装置６の表示部１６は第２の画像データ４１を表示（図１中の表示装置６Ｃに相当）し、トレイ４が機密情報管理領域（例えば図１中の薬剤部Ｐ、病棟等）にあるときは、表示部１６は第１の画像データ４０を表示する。これにより、トレイ４が機密情報管理領域の外にあるときの機密情報を表示させないようにすることができ、その結果として、個人情報を含む機密情報が、第３者に漏れる可能性を防止することができる。
【００２０】
以下、上記薬剤管理システム１に適用される表示システム２について更に詳しく説明する。
＜１．２．  表示システム２＞
＜１．２．１  表示システム２の構成＞
本実施形態における表示システム２は、前述の表示装置６と、その表示装置６の表示部１６に表示された画像を切りかえるリモートコントローラ１７とを備える。
（１）表示装置６の構成
図２Ａは、本実施形態における表示装置６の正面図であり、図２Ｂは同側面図である。表示装置６は、表示装置本体１８と、ＬＣＤや有機ＥＬディスプレイ等により実現される表示部１６と、リモートコントローラ１７や薬剤払出装置５との信号の送受信を行う送受信部２０とを備える。
【００２１】
表示装置６は、データ書込みユニット１１により第１の画像データ４０が書き込まれる。後述するように表示装置６が取り付けられたトレイ４の薬剤の調剤から与薬までの工程を経て、薬剤払出装置５に返却されると、表示装置６の第１の画像データ４０は消去されて初期状態に戻され（又はリセットされ）て、再利用される。なお、第２の画像データ４１は、初期状態で表示装置６に記録されていてもよいし、第１の画像データ４０の書込み時に同時に書き込み記録されてもよい。
【００２２】
（２）リモートコントローラ１７の構成
図３Ａは、本実施形態におけるリモートコントローラ１７の正面図であり、図３Ｂは同側面図である。リモートコントローラ１７は、リモートコントローラ本体２１と、第１のボタン２２（操作部又は第１の操作部の一例）と、第２のボタン２３（操作部又は第２の操作部の一例）と、送信部２５とを備える。
第１のボタン２２をユーザ（例えば、薬剤師や看護師）が押すことによって、後述するように表示装置６において第１の画像データ４０と第２の画像データ４１とを切替えるための指令信号である第１の画像切替信号が生成される。また、第２のボタン２３をユーザが押すことによって、後述するように第１の画像データ４０に重ねて表示される第３の画像データ４２（図６（ｃ）〜図６（ｆ）に図示）の表示と非表示とを切り替えるための指令信号である第２の画像切替信号が生成される。送信部２５は、入力された第１の画像切替信号、もしくは第２の画像切替信号を、表示装置６に送信する。
【００２３】
リモートコントローラ１７は、特定のユーザにのみ使用が許可されるように管理される。リモートコントローラ１７はまた、病棟内、フロア内、或いはエリア内のみ使用ができるように管理されていてもよい。
【００２４】
（３）表示システム２の機能
図４は、上記表示システム２の機能ブロック図である。
リモートコントローラ１７は、前述の第１のボタン２２及び第２のボタン２３に接続されて第１のボタン２２及び第２のボタン２３から信号を受信し、前述の第１の画像切替信号又は第２の画像切替信号を生成するリモートコントローラ制御部２４を更に備える。リモートコントローラ制御部２４は、第１の信号生成部４６と、第２の信号生成部４７とを備える。第１の信号生成部４６は第１の画像切替信号を生成し、第２の信号生成部４７は第２の画像切替信号を生成する。生成された画像切替信号は、送信部２５へ出力する。
【００２５】
表示装置６は、前述の送受信部２０に接続されて送受信部２０から信号を受信する信号判断部２６（判断部の一例）、画像処理部２７、第１の画像切替部２８、第２の画像切替部２９、メモリ部３０、及び前述の表示部１６を制御する表示部制御部３１を備えている。
送受信部２０は、受信部３２と送信部３３とを含む。受信部３２はリモートコントローラ１７や薬剤払出装置５のデータ書込みユニット１１から出力された信号の受信を行う。送信部３３は、表示装置６の画像処理部２７で生成した完了信号を薬剤払出装置５のデータ書込みユニット１１（図７）へ送信する。
【００２６】
信号判断部２６は、受信部３２から入力された信号が、
（Ａ）リモートコントローラ１７から送信された第１の画像切替信号（図１０の信号Ａ）
（Ｂ）リモートコントローラ１７から送信された第２の画像切替信号（図８の信号Ｂ）
（Ｃ）（後述で詳しく説明するが）薬剤払出装置５のデータ書込みユニット１１からの第１の画像データ信号（図７の信号Ｃ）
のうち、どの信号なのかを判断する。その後、入力された信号を、
（ａ）第１の画像切替信号Ａである場合は、第１の画像切替部２８に出力する、
（ｂ）第２の画像切替信号Ｂである場合は、第２の画像切替部２９に出力する、
（ｃ）第１の画像データ信号Ｃである場合は、画像処理部２７に出力する、
という制御を行う。
【００２７】
なお、本実施形態において、（Ａ）〜（Ｃ）の区別・判断の方法は、例えば、（Ａ）〜（Ｃ）の信号の先頭にコマンド部を設け、そのコマンドによって（Ａ）〜（Ｃ）の区別・判断を行う方法を用いる。
画像処理部２７は、入力された第１の画像データ信号Ｃに応じた処理を行い、表示部１６に表示するための第１の画像データ４０を生成し、表示部制御部３１とメモリ部３０に出力する。
【００２８】
第１の画像切替部２８は、入力された第１の画像切替信号Ａを受信すると、メモリ部３０に格納されている第２の画像データ４１を読み出し、その後、表示部制御部３１に対し、第１の画像データ４０から第２の画像データ４１に切り替える指令を出力する。本実施形態においては、第１の画像切替信号Ａが第１の画像切替部２８に入力される毎に、第１の画像データ４０と第２の画像データ４１を交互に切り替えるように構成している。
【００２９】
第２の画像切替部２９は、入力された第２の画像切替信号Ｂを受信すると、メモリ部３０に格納されている第３の画像データ４２を読み出す。その後、第２の画像切替部２９は、表示部制御部３１に対し、第１の画像データ４０に第３の画像データ４２を重ねて表示するよう指令を出力する。なお、後に詳しく説明するが、本実施形態においては、第３の画像データ４２は４種類用意されている。第２の画像切替部２９は、第２の画像切替信号Ｂを受信する毎に、その４種類の第３の画像データ４２（図６（ｃ）〜図６（ｆ）に示す）を順番に、第１の画像データ４０に重ねて表示するように構成している。
【００３０】
表示部制御部３１は、画像処理部２７より入力された第１の画像データ４０を表示部１６に表示する。また、第１の画像切替部２８から指令信号を受信すると、表示部１６の表示を、第１の画像データ４０と第２の画像データ４１とに交互に切り替える。更に、第２の画像切替部２９から指令信号を受信すると、表示部１６に表示している第１の画像データ４０に第３の画像データ４２を重ねて表示するか、既に第３の画像データ４２が表示されているときは第３の画像データ４２を非表示にする。
【００３１】
信号判断部２６、画像処理部２７、第１の画像切替部２８、第２の画像切替部２９、及び表示部制御部３１は、例えば、プロセッサがメモリに格納されたプログラムを実行することにより上記機能を実行する。
メモリ部３０は、画像処理部２７から入力された第１の画像データ４０や、予め記録されている第２の画像データ４１及び第３の画像データ４２を格納している。本実施形態においては、メモリ部３０として、例えばＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）を用いる。
【００３２】
（４）画像データ
図５は、実施形態１における表示装置６のメモリ部３０に格納される画像データの記録状態を示す。図５に示すように、メモリ部３０内の領域Ａ３４は、第１の画像データ４０を格納する。メモリ部３０内の領域Ｂ３５は、第２の画像データ４１を格納する。メモリ部３０内の領域Ｃ３６、領域Ｄ３７、領域Ｅ３８、領域Ｆ３９は、それぞれ異なる種類の第３の画像データ４２を格納する。
図６は、実施形態１における表示装置６により表示する第１の画像データ４０、第２の画像データ４１、及び第３の画像データ４２の表示例を示す。図６（ａ）は第１の画像データの表示例を示し、図６（ｂ）は第２の画像データ４１の表示例を示し、図６（ｃ）〜図６（ｆ）は第３の画像データ４２の表示例を示す。
図６（ａ）に示すように、第１の画像データ４０は、患者の名前や性別、病棟・病室、日付、ＩＤの個人情報等の機密情報を含む画像データである。
【００３３】
図６（ｂ）に示すように、第２の画像データ４１は、個人情報等の機密情報ではない非機密情報の画像データである。本実施形態において、第２の画像データ４１は、例えば、薬剤管理システム１のユーザ名である「○○○○総合病院」と記述する。第２の画像データ４１は、一般（第３者）に公開してもよい画像データであれば、どのようなものを用いても良い。
【００３４】
また、図６（ｃ）〜図６（ｆ）に示す第３の画像データ４２Ａ、４２Ｂ、４２Ｃ、４２Ｄは、第１の画像データ４０と同時に表示する画像データであり、トレイ４の薬剤３がいずれの段階にあるかを示す情報（薬剤のステータス）を含む。払い出された薬剤３は、薬剤部Ｐにおいて調剤され、監査される。その後、ナースステージーションＮＳを介して薬剤３が患者に与薬され、トレイ４は薬剤払出装置５に返却される。本実施形態においては、第３の画像データ４２Ａ（調剤済）、４２Ｂ（監査済）、４２Ｃ（与薬済）、４２Ｄ（返却）を、それぞれ第１の画像データ４０に重ねて表示部１６に表示する。これにより、図１中の病院における薬剤管理システム１において、表示装置６を搭載するトレイ４が、どの工程（図１中のどのエリア）に滞在するかを表示することができる。よって、実際にこのトレイ４を取り扱う薬剤師や看護師が、トレイ４がどの工程に滞在しているのかを確認することができる。第１の画像データ４０と、いずれの第３の画像データ４２Ａ〜４２Ｄを重ねて表示するかは、後で詳しく説明する。
以上が、表示システム２（表示装置６とリモートコントローラ１７）の構成に関する説明である。
【００３５】
＜１．２．２  表示システム２の動作＞
次に、本実施形態の表示システム２の動作に関して説明する。
本実施形態における表示システム２は、
（１）薬剤払出装置５のデータ書込みユニット１１から表示装置６への第１の画像データ４０の書込み制御と第１の画像データ４０の表示制御
（２）表示装置６の第２の画像切替制御
（３）表示装置６の第１の画像切替制御
を行う。
【００３６】
以下に、（１）〜（３）の各制御の詳細を説明する。
（１）薬剤払出装置５のデータ書込みユニット１１から表示装置６への第１の画像データ４０の書込み制御
図７は、本実施形態における薬剤払出装置５のデータ書込みユニット１１から表示装置６への第１の画像データ４０の書込み制御と、その表示制御を示す。
【００３７】
ここで、薬剤払出装置５のデータ書込みユニット１１は、図７に示すように、書込み制御部４３と、送信部４５／受信部４８を有する送受信部４４とを備える。
図１を参照して病院における薬剤管理システム１について説明したように、サーバ９は、入力された処方箋データに基づいて、表示装置６に表示するビットマップ形式の第１の画像データ４０を作成する。
【００３８】
その後、図７に示すように、サーバ９は、第１の画像データ４０を、薬剤払出装置５のデータ書込みユニット１１内の書込み制御部４３に出力する。第１の画像データ４０が入力された書込み制御部４３は、第１の画像データ４０を無線送信できるようにデータ変換し、その変換した信号を第１の画像データ信号Ｃとして、データ書込みユニット１１内の送受信部４４内の送信部４５へ出力する。このとき、送信される画像データ信号Ｃは、第１の画像データ４０の他に、データ書込みユニット１１の識別情報を含む。その後、送信部４５は、第１の画像データ信号Ｃを、表示装置６の送受信部２０内の受信部３２に送信する。
【００３９】
なお、本実施形態において、薬剤払出装置５のデータ書込みユニット１１と表示装置６との間の通信、及び（後述の）表示装置６とリモートコントローラ１７との間の通信は、例えば、ＩｒＤＡ（Ｉｎｆｒａｒｅｄ  Ｄａｔａ  Ａｓｓｏｃｉａｔｉｏｎ）規格による赤外線通信を用いる。
第１の画像データ信号Ｃを受信した表示装置６の受信部３２は、受信した電気信号を変換（又は復調）し、信号判断部２６へ出力する。信号判断部２６は、入力された信号を認証する。ここで、認証とは、入力された信号に含まれるデータ書込みユニット１１の識別情報と、表示装置６に予めメモリ部３０に格納されたデータ書込みユニット１１の識別情報との対応を判断することにより、データ書込みユニット１１を識別することである。このような認証を行うことにより、対応しないデータ書込みユニット１１により表示装置６の画像データが書きかえられることを防ぐことができる。
【００４０】
そして、信号判断部２６は、前述のように、第１の画像切替信号Ａ、第２の画像切替信号Ｂ、第１の画像データ信号Ｃのうち、どの信号かを判断する。信号判断部２６は、判断した信号に応じて、画像処理部２７、及び第１の画像切替部２８、第２の画像切替部２９のいずれかへ出力をする。ここでは、第１の画像データ信号Ｃが入力されているため、第１の画像データ信号Ｃを画像処理部２７へ出力する。
【００４１】
画像処理部２７は、前述のように、入力された第１の画像データ信号Ｃの処理を行い、表示部１６に第１の画像データ４０を表示するための第１の画像データ４０を生成し、表示部制御部３１とメモリ部３０にそれぞれ出力する。
その後、表示部制御部３１は、画像処理部２７より入力された第１の画像データ４０を表示部１６に表示させる。このときの第１の画像データ４０の一例は、図６（ａ）に示す通りである。
【００４２】
その後、画像処理部２７は、第１の画像データ４０が、表示部１６に表示されたとともに、メモリ部３０への記録が完了されたことを確認し、その完了信号を、送受信部２０内の送信部３３へ出力する。その後、送信部３３は、薬剤払出装置５のデータ書込みユニット１１の受信部４８にその完了信号を送信する。
この完了信号を受信したデータ書込みユニット１１は、現在の表示装置６への第１の画像データ４０の書込み制御が完了したと判断し、薬剤払出装置５の制御部（図示なし）へ書込み完了信号を出力する。この書込み完了信号を受信した薬剤払出装置５の制御部は、薬剤払出装置５における次の動作を開始する。
以上が、薬剤払出装置５のデータ書込みユニット１１から表示装置６への第１の画像データ４０の書込み制御である。
【００４３】
（２）表示装置６の第２の画像切替制御
次に、表示装置６の第２の画像切替制御に関して説明する。
図８は、実施形態１における表示装置６の第２の画像切替制御を示すブロック図である。
【００４４】
リモートコントローラ１７の第２のボタン２３が押されると、リモートコントローラ制御部２４内の第２の信号生成部４７にて、第２の画像切替信号Ｂが生成される。このとき、送信される第２の画像切替信号Ｂは、リモートコントローラ１７の識別情報を含む。この第２の画像切替信号Ｂは、リモートコントローラ制御部２４から送信部２５へ出力される。その後、送信部２５は、第２の画像切替信号Ｂを、表示装置６の送受信部２０内の受信部３２に送信する。
【００４５】
なお、本実施形態においては、表示装置６とリモートコントローラ１７の間の通信は、例えば、ＩｒＤＡ（Ｉｎｆｒａｒｅｄ  Ｄａｔａ  Ａｓｓｏｃｉａｔｉｏｎ）規格による赤外線通信を用いる。
第２の画像切替信号Ｂを受信した表示装置６の受信部３２は、受信した電気信号を変換（又は復調）し、信号判断部２６へ出力する。信号判断部２６は、入力された信号を認証する。ここで、認証とは、入力された信号に含まれるリモートコントローラ１７の識別情報と、表示装置６に予めメモリ部３０に格納されたリモートコントローラ１７の識別情報との対応を判断することにより、リモートコントローラ１７を識別することである。このような認証を行うことにより、対応しないリモートコントローラ１７により表示装置６の画像データが切り替えられることを防ぐことができる。
【００４６】
そして、信号判断部２６は、前述のように、第１の画像切替信号Ａ、第２の画像切替信号Ｂ、第１の画像データ信号Ｃのうち、どの信号かを判断する。信号判断部２６は、判断した信号に応じて、画像処理部２７、第１の画像切替部２８、及び第２の画像切替部２９のいずれかへ出力をする。ここでは、第２の画像切替信号Ｂが入力されているため、第２の画像切替信号Ｂを第２の画像切替部２９へ出力する。
【００４７】
第２の画像切替部２９は、第２の画像切替信号Ｂを受信すると、メモリ部３０に格納されている第３の画像データ４２Ａ〜４２Ｄ（図６）のいずれかを読み出す。その後、表示部制御部３１に、読み出した第３の画像データ４２Ａ〜４２Ｄのいずれかを出力するとともに、第１の画像データ４０に第３の画像データ４２Ａ〜４２Ｄのいずれかを重ねて表示するように指令信号を出力する。第２の画像切替部２９はまた、第２の画像切替信号Ｂを受信したときに第３の画像データ４２が表示されている場合は、非表示とする指令信号を出力する。
【００４８】
本実施形態においては、第２の画像切替信号Ｂを受信する毎に、第３の画像データ選択なし（第３の画像データ非表示）、第３の画像データ４２Ａ（例えば、「調剤済」）、第３の画像データ４２Ｂ（例えば、「監査済」）、第３の画像データ４２Ｃ（例えば、「与薬済」）、第３の画像データ４２Ｄ（例えば、「返却」）、第３の画像データ選択なし、・・・という順番に、選択切替制御を行っている。なお、第３の画像データは、第２の画像切替信号Ｂを受信して切り替わる毎に、少なくともその直前に表示されていた第３の画像データに関する情報（識別情報、フラグ、画像データそのもの等）がメモリ部３０に格納される。第２の画像切替信号Ｂを受信すると、記録されている直前の第３の画像データに関する情報に基づいて、次の第３の画像データを特定し、表示する。
【００４９】
図９は、上述の表示システム２による第２の画像切替制御を行った際の、表示部１６の画像表示状態の遷移を示す。
本実施形態においては、図９に示すように、第２の画像切替信号Ｂを受信する毎に、
Ｓ１：第１の画像データ４０
Ｓ２：第１の画像データ４０＋第３の画像データ４２Ａ
Ｓ３：第１の画像データ４０＋第３の画像データ４２Ｂ
Ｓ４：第１の画像データ４０＋第３の画像データ４２Ｃ
Ｓ５：第１の画像データ４０＋第３の画像データ４２Ｄ
を循環するように、表示装置６の表示部１６を切り替える。
なお、このＳ１〜Ｓ５の画像データは、必ず第１の画像データ４０を含んでいる。
以上が、表示装置６の第２の画像切替制御である。
【００５０】
（３）表示装置６の第１の画像切替制御
次に、表示装置６の第１の画像切替制御に関して説明する。
図１０は、実施形態１における表示装置６の第１の画像切替制御を示すブロック図である。
【００５１】
リモートコントローラ１７の第１のボタン２２が押されると、リモートコントローラ制御部２４内の第１の信号生成部４６にて、第１の画像切替信号Ａが生成される。このとき、送信される第１の画像切替信号Ａは、リモートコントローラ１７の識別情報を含む。この第１の画像切替信号Ａは、リモートコントローラ制御部２４から送信部２５へ出力される。その後、送信部２５は、第１の画像切替信号Ａを、表示装置６の送受信部２０内の受信部３２に送信する。
【００５２】
なお、本実施形態においては、表示装置６とリモートコントローラ１７の間の通信は、例えば、ＩｒＤＡ（Ｉｎｆｒａｒｅｄ  Ｄａｔａ  Ａｓｓｏｃｉａｔｉｏｎ）規格による赤外線通信を用いる。
第１の画像切替信号Ａを受信した表示装置６の受信部３２は、受信した電気信号を変換（又は復調）し、信号判断部２６へ出力する。信号判断部２６は、入力された信号を認証する。ここで、認証とは、入力された信号に含まれるリモートコントローラ１７の識別情報と、表示装置６に予めメモリ部３０に格納されたリモートコントローラ１７の識別情報との対応を判断することにより、リモートコントローラ１７を識別することである。このような認証を行うことにより、対応しないリモートコントローラ１７により表示装置６の画像データが切り替えられることを防ぐことができる。
【００５３】
そして、信号判断部２６は、前述のように、第１の画像切替信号Ａ、第２の画像切替信号Ｂ、第１の画像データ信号Ｃのうち、どの信号かを判断する。信号判断部２６は、判断した信号に応じて、画像処理部２７、第１の画像切替部２８、第２の画像切替部２９のいずれかへ出力をする。ここでは、第１の画像切替信号Ａが入力されているため、第１の画像切替信号Ａを第１の画像切替部２８へ出力する。
【００５４】
第１の画像切替部２８は、第１の画像切替信号Ａを受信すると、以下（Ａ）、もしくは（Ｂ）のどちらかの画像切替制御（第１の画像切替制御の一例）を行う。
（Ａ）現在、表示部１６が、第１の画像データ４０を含む画像を表示している場合は、メモリ部３０より、第２の画像データ４１を読み出し、その第２の画像データ４１を、表示部制御部３１へ出力する。その後、表示部制御部３１から、第３の画像データ４２Ａ〜４２Ｄのどのデータを表示しているか（すなわち、図９中のＳ１〜Ｓ５の、どの画像を表示しているか）の情報を、つまり上述の直前の第３の画像データに関する情報を取得し、メモリ部３０に記録する。
【００５５】
（Ｂ）現在、表示部１６が、第２の画像データ４１を含む画像を表示している場合は、メモリ部３０より、直前に、表示部制御部３１により第３の画像データ４２Ａ〜４２Ｄのどのデータが表示されていたか（すなわち、図９中のＳ１〜Ｓ５の、どの画像を表示されていたか）の情報、つまり直前の第３の画像データに関する情報を読み出す。その後、その情報を基づいて、第１の画像データ４０、及びその直前の第３の画像データ４２Ａ〜４２Ｄ（すなわち図９中のＳ１〜Ｓ５のいずれか）を読み出し、表示部制御部３１へ出力する。
【００５６】
よって、第１の画像切替部２８は、第１の画像切替信号Ａを受信する毎に、少なくとも第１の画像データ４０を含む画像データ（Ｓ１〜Ｓ５）と、第２の画像データ４１とを切り替える。
ここで、前述のように、少なくとも画像データ（Ｓ１〜Ｓ５）を含む画像データは、必ず第１の画像データ４０を含んでいる。また、第１の画像データ４０は、前述の（１）で説明したように、患者の名前や性別、病棟・病室、日付、ＩＤの個人情報等の機密情報を含むものである。すなわち、少なくとも第１の画像データ４０を含む画像データ（Ｓ１〜Ｓ５）は、機密情報を含む画像データである。
【００５７】
言い換えると、第１の画像切替部２８は、第１の画像切替信号Ａが入力されると、表示部１６の画像が第１の画像データ４０の場合は、表示部１６に表示する画像を第１の画像データ４０から第２の画像データ４１に切り替える。もしくは、第１の画像切替部２８は、第１の画像切替信号Ａが入力されると、表示部１６の画像が第２の画像データ４１の場合は、表示部１６に表示する画像を第２の画像データ４１から第１の画像データ４０に切り替える。
【００５８】
図１１は、上述の表示システム２による画像切替制御を行った際の、表示部１６における画像表示状態の遷移を示す。
本実施形態においては、図１１に示すように、第１の画像切替信号Ａを受信する毎に、
Ｓ１：第１の画像データ４０
Ｓ２：第１の画像データ４０＋第３の画像データ４２Ａ
Ｓ３：第１の画像データ４０＋第３の画像データ４２Ｂ
Ｓ４：第１の画像データ４０＋第３の画像データ４２Ｃ
Ｓ５：第１の画像データ４０＋第３の画像データ４２Ｄ
のいずれかと、
Ｔ１：第２の画像データ４１
とを、表示装置６の表示部１６を交互に切り替えるのである。
以上が、表示装置６の第１の画像切替制御である。
【００５９】
（４）本実施形態における第１の画像切替制御後の誤動作の防止
次に、本実施形態における上述の表示システム２による制御に関し、その他の特徴に関して説明する。
図１２は、本実施形態における第１の画像データ４０と第２の画像データ４１間の画像切替制御を行う際のリモートコントローラ１７による操作の一例を示す。
【００６０】
前述の（１）で説明したように、表示装置６がそれぞれ取り付けられた複数のトレイ４は、台車１３に格納された後、薬剤部Ｐから病棟内のナースステーションＮＳへ搬送される。その途中の機密情報非管理領域ＮＣＡを通過する際、各トレイ４の表示装置６の表示部１６の表示は、第１の画像データ４０から第２の画像データ４１に切り替えられる。本実施形態においては、図１２に示すように１つのリモートコントローラ１７を用いて、複数の表示装置６の表示を一度に切り替える。
【００６１】
ここで、本実施形態においては、１回のリモートコントローラ１７の操作によって、複数の表示装置６の画像切替制御を行うが、図１２に示すように、全ての表示装置６の画像を切り替えるためにはリモートコントローラ１７を移動させつつ第１のボタン２２を連続して複数回押す必要がある。しかし、リモートコントローラ１７のＩｒＤＡ規格による赤外線通信の赤外線の範囲が前回の操作時の範囲と重複することによって、すでに所望の画像（ここでは、第２の画像データ４１）に切り替えたのにも関わらず、再度元の画像表示（ここでは、第１の画像データ４０）に戻ってしまうという誤動作が生じる可能性がある。
従って、本実施形態においては、第１の画像データ４０と第２の画像データ４１間の画像切替制御を実行後所定の時間、表示装置６による第１の画像切替信号Ａの受信を無効とする受信無効期間を設ける。その結果として、画像切替動作後の誤動作を防止することができる。
【００６２】
＜１．３  表示システム２による制御＞
以下、図１３〜１５を参照して、表示システム２による制御の流れを説明する。
＜１．３．１  リモートコントローラ１７による制御＞
図１３はリモートコントローラ１７（図４に示す）による制御の流れを示す。
【００６３】
ステップＳ１１１：ユーザによりリモートコントローラ１７のボタン操作が行われる。
ステップＳ１１２：リモートコントローラ制御部２４は、第１のボタン２２又は第２のボタン２３のいずれから信号が入力されたかを判断する。第１のボタン２２から信号が入力された場合はステップＳ１１３に進み、第２のボタン２３から信号が入力された場合はステップＳ１１４に進む。
【００６４】
ステップＳ１１３：リモートコントローラ制御部２４の第１の信号生成部４６により第１の画像切替信号Ａが生成される。
ステップＳ１１４：リモートコントローラ制御部２４の第２の信号生成部４７により第２の画像切替信号Ｂが生成される。
ステップＳ１１５：送信部２５により、表示装置６に対しステップＳ１１３又はステップＳ１１４において生成された画像切替信号が送信される。
【００６５】
＜１．３．２  リモートコントローラ１７による制御＞
図１４は、薬剤払出装置５のデータ書込みユニット１１（図７に示す）による制御の流れを示す。
ステップＳ１２１：データ書込みユニット１１は、サーバ９において処方箋データに基づいて作成された画像データ４０を受信する。
ステップＳ１２２：画像データ４０は、書込み制御部４３によりデータ変換され、第１の画像データ信号Ｃが生成される。そして、第１の画像データ信号Ｃは、送信部４５を介して表示装置６に送信される。
ステップＳ１２３：受信部４８は、表示装置６により第１の画像データ４０が受信され記録されたことを示す完了信号を受信した場合は、処理を終了する。
【００６６】
＜１．３．３  表示装置６による制御＞
図１５Ａ及び図１５Ｂは、表示装置６（図４に示す）による制御の流れを示す。
ステップＳ１３１：表示装置６の受信部は、信号を受信する。
【００６７】
ステップＳ１３２：信号判断部２６により、受信された信号がリモートコントローラ１７からの信号かどうかを判断される。これは、上述したように、受信された信号に含まれるリモートコントローラ１７の識別情報と、予め記録された識別情報とが対応するかどうかが判断されることにより、行われる。リモートコントローラ１７の識別情報の認証が成功すれば、ステップＳ１３２に進み、認証が成功しなければステップＳ１４０（図１５Ｂ）に進む。
【００６８】
ステップＳ１３３：信号判断部２６により、受信された信号が第１画像切替信号であるか、第２画像切替信号であるかを判断する。第１画像切替信号である場合はステップＳ１３４に進み、第２画像切替信号である場合はステップＳ１３８に進む。
ステップＳ１３４：第１の画像切替部２８により、第１画像切替信号の受信無効期間であるかどうかを判断し、受信無効期間である場合は処理を終了し、受信無効期間でない場合はステップＳ１３５に進む。
【００６９】
ステップＳ１３５：第１の画像切替部２８により、表示部１６に表示されている画像データが第１の画像データ４０か第２の画像データ４１かを判断する。第１の画像データ４０である場合はステップＳ１３７に進み、第２の画像データ４１である場合はステップＳ１３６に進む。
ステップＳ１３６：第１の画像切替部２８は、メモリ部３０より第１の画像データ４０と直前の第３の画像データ（非表示も含む）とを読み出し、表示部制御部３１を介して表示部１６に表示させる。
【００７０】
ステップＳ１３７：一方、第１の画像切替部２８は、メモリ部３０より第２の画像データを読み出し、表示部制御部３１を介して表示部１６に表示させる。
ステップＳ１３８：一方、ステップＳ１３３において受信された信号が第２画像切替信号である場合は、第２の画像切替部２９により、メモリ部３０より直前の第３の画像データの次の第３の画像データ（非表示も含む）を読み出し、表示部制御部３１を介して表示部１６に表示させる。
【００７１】
ステップＳ１３９：メモリ部３０における、直前に表示した第３の画像データに関する情報を更新する。
ステップＳ１４０：一方、ステップＳ１３２において受信された信号がリモートコントローラ１７の信号でない場合、信号判断部２６は、データ書込みユニット１１の信号であるかどうかを判断し、データ書込みユニット１１の信号である場合はステップＳ１４１に進む。
【００７２】
ステップＳ１４１：画像処理部２７により、受信された信号に基づき第１の画像データ４０が生成され、表示部制御部３１を介して表示部１６に表示させる。また、第１の画像データ４０はメモリ部３０に格納される。
ステップＳ１４２：送信部３３により、完了信号がデータ書込みユニット１１に送信される。
なお、上記制御の流れは一例であり、その手順や処理の数は上記に限定されない。例えば、ステップＳ１３２（リモートコントローラ１７の認証）とステップＳ１４０（データ書込みユニット１１の認証）は順番を入れ替えてもよい。
【００７３】
＜１．４  本実施形態におけるその他の特徴＞
本実施形態における表示装置６は、第１の画像切替制御の開始指示を、表示装置６に対応する外部装置（本実施形態ではリモートコントローラ１７）からのみ実施できるようにしてある。更に、この外部装置を用いた画像切替制御（第１の画像データ４０と第２の画像データ４１との切り替え）を、機密情報が管理されている領域（例えば、薬剤部ＰやナースステーションＮＳ）のみで実施できるようにしている。
具体的には、本実施形態では、薬剤部ＰとナースステーションＮＳに、それぞれ少なくとも１つのリモートコントローラ１７を配置し、薬剤部ＰとナースステーションＮＳという機密情報が管理されている領域からの持ち運びを禁止している。
すなわち、表示システム２においては、表示装置６による第１の画像データ４０と第２の画像データ４１との画像切替制御を、表示装置６の外部装置からのみ指示できる。更に、表示システム２における表示装置６の画像切替制御を行う外部装置を、機密情報が管理されている領域から持ち出すことを禁止している。これによって、トレイ４が機密情報管理領域の外にあるときに、表示装置６の盗難等、故意的な第３者による、個人情報を含む機密情報の漏洩のリスクを回避することができる。その結果、個人情報を含む機密情報の漏洩をより確実に防止することができる。
【００７４】
＜１．５  実施形態１の効果＞
以上のように、本実施形態による表示システム２は、機密情報を含む第１の画像データ４０と非機密情報である第２の画像データ４１とを保持し、第１の画像データ４０又は第２の画像データ４１を表示する表示装置６、及び表示装置６に対して信号を生成し送信するための操作部２２，２３を有するリモートコントローラ１７、を備える。リモートコントローラ１７は、操作部２２、２３を特定のユーザが操作することに応じて、第１の画像データ４０と第２の画像データ４１とを切り替えるための指令信号である第１の画像切替信号Ａを生成する第１の信号生成部４６と、第１の画像切替信号Ａを表示装置６に送信する送信部２５と、を有する。表示装置６は、リモートコントローラ１７より第１の画像切替信号Ａを受信する受信部３２と、第１の画像切替信号Ａに応じて第１の画像データ４０と第２の画像データ４１との切り替えを指令する第１の画像切替部２８と、第１の画像切替部２８による指令に応じて第１の画像データ４０又は第２の画像データ４１を表示する表示部１６と、を有する。第１の画像切替部２８は、第１の画像切替信号Ａが入力されると、表示部１６に第１の画像データ４０が表示されている場合は表示部１６に第２の画像データ４１を表示させ、表示部１６に第２の画像データ４１が表示されている場合は表示部１６に第１の画像データ４０を表示させる、第１の画像切替制御を実行する。このため、この表示装置６を用いるトレイ４が機密情報管理領域より外部に持ち出されるときに、表示装置６は第２の画像データ４１を表示させ、トレイ４が機密情報管理領域内にあるときは、表示部１６は第１の画像データ４０を表示させることができる。これにより、トレイ４が機密情報管理領域の外にあるときに機密情報を表示させないようにすることができ、その結果として、個人情報を含む機密情報が、第３者に漏れることをより確実に防止することができる。
【００７５】
本実施形態による表示システム２においては、表示装置６は、第１の画像データ４０と第２の画像データ４１との画像切替制御を実行後の所定時間、新たな第１の画像切替信号の受信を無効とする。このため、画像切替動作後の誤動作を防止することができる。
本実施形態による表示システム２においては、リモートコントローラ１７は更に、操作部２２，２３を特定のユーザが操作することに応じて、一以上の第３の画像データ４２の表示と非表示とを切り替えるための指令信号である第２の画像切替信号Ｂを生成する第２の信号生成部４７を有し、表示装置６は更に、一以上の第３の画像データ４２を保持し、受信部３２により第２の画像切替信号Ｂを受信し、同第２の画像切替信号Ｂに応じて、第３の画像データ４２の表示と非表示との切り替えを指令する第２の画像切替部２９を有し、表示部１６は、第２の画像切替部２９による指令に応じて第１の画像データ４０上に重ねて第３の画像データ４２を表示する。このため、表示システム２の利便性を高めることができる。
【００７６】
本実施形態による表示システム２においては、第３の画像データ４２は複数であり、第２の画像切替部２９は、第２の画像切替信号Ｂが入力される度に、複数の第３の画像データ４２及び第３の画像データ４２の非表示を順次切り替えて表示部１６に表示させる。このため、表示システム２の利便性を更に高めることができる。
本実施形態による表示システム２においては、リモートコントローラ１７の操作部は、第１のボタン２２と第２のボタン２３とを含み、第１の信号生成部４６は、特定のユーザが第１のボタン２２を操作することに応じて、第１の画像切替信号Ａを生成し、第２の信号生成部４７は、特定のユーザが第２のボタン２３を操作することに応じて、第２の画像切替信号Ｂを生成する。このため、トレイ４に搭載された薬剤の管理と機密情報の管理とを容易に実現することができる。また、ユーザによる操作ミスを防止するともに、ユーザの操作の負担も軽減できる。
本実施形態による表示システム２を用いた薬剤管理システム１においては、表示装置６は、トレイ４が機密情報管理領域より外部に持ち出されるときは、表示部１６に第２の画像データ４１を表示させ（図１の表示装置６Ｃに相当）、トレイ４が機密情報管理領域（例えば図１の薬剤部Ｐ、病棟等）にあるときは、表示部１６に第１の画像データ４０を表示させる。これにより、個人情報を含む機密情報が、第３者に漏れる可能性を防止することができる。
【００７７】
＜２．その他実施形態＞
本発明の実施形態は、前述の実施形態に限られず、本発明の趣旨を逸脱しない範囲で種々の修正、変更及び組み合わせが可能である。また、前述の実施形態は、本質的に好ましい例示であって、本発明、その適用物、あるいはその用途の範囲を制限することを意図するものではない。例えば、以下のような変更が可能である。
＜２．１＞
上記実施形態においては、表示装置６は、リモートコントローラ１７から送信されてきた第１の画像切替信号Ａ又は第２の画像切替信号に含まれるリモートコントローラ１７の識別情報と、表示装置６に予めメモリ部３０に格納されたリモートコントローラ１７の識別情報との対応を判断し、一致するかどうかを判断し、認証を行う。これに代えて、表示装置６は、データ書込みユニット１１により送信された第１の画像データに含まれる識別情報と、第１の画像切替信号Ａ又は第２の画像切替信号に含まれるリモートコントローラ１７の識別情報との対応を判断するようにしてもよい。この場合、第１の画像データに含まれる識別情報は、リモートコントローラ１７の識別情報と対応付けられた情報である。
【００７８】
例えば、異なるＩＤを割り当てられたリモートコントローラ１７を複数使用する場合、表示装置６に第１の画像データが書き込まれる度に、表示装置６に記録されているリモートコントローラ１７の識別情報を変更しなければならない。しかし、リモートコントローラ１７の認証を、データ書込みユニット１１により送信された画像データに含まれる識別情報により行えば、表示装置６に記録されているリモートコントローラ１７の識別情報を変更する必要はない。また、異なるＩＤを割り当てられたリモートコントローラ１７を複数使用する場合においても、表示装置６はリセット後において、表示装置６側においてリモートコントローラ１７のＩＤを更新する必要はなく、表示装置６を再利用することができる。
【００７９】
図１６は、表示装置６による上記制御の流れを示す。なお、ステップＳ２３１〜Ｓ２３６は、上記実施形態１の図１５ＡのステップＳ１３１〜Ｓ１３２と、図１５ＢのステップＳ１４０〜Ｓ１４２に対応する処理である。
ステップＳ２３１：表示装置６の受信部３２は、信号を受信する。
ステップＳ２３２：信号判断部２６は、データ書込みユニット１１の信号であるかどうかを判断し、データ書込みユニット１１の信号でない場合はステップＳ２３３に進み、データ書込みユニット１１の信号である場合はステップＳ２３５に進む。
【００８０】
ステップＳ２３３：信号判断部２６は、メモリ部３０より第１の画像データに含まれるリモートコントローラ１７の識別情報を読み出す。
ステップＳ２３４：信号判断部２６は、読み出された第１の画像データの識別情報と、受信された信号に含まれるリモートコントローラ１７の識別情報との対応を判断する。識別情報が一致すれば、図１５ＡのステップＳ１３３へ進み、その後は上記実施形態１と同様の処理を行う。識別情報が一致しなければ処理を終了する。
ステップＳ２３５：画像処理部２７により、受信された信号に基づき第１の画像データ４０が生成され、表示部制御部３１を介して表示部１６に表示させる。また、第１の画像データ４０はメモリ部３０に格納される。
ステップＳ２３６：送信部３３により、完了信号がデータ書込みユニット１１に送信される。
【００８１】
＜２．２＞
上記実施形態１においては、表示システム２は、病院において使用される薬剤払出装置５に適用されているが、これに限定されない。例えば、工場において製造ライン間を搬送される部品の容器に取り付けられる表示装置を用いた表示システムとしても利用できる。この場合、搬送経路の機密情報管理領域においては表示装置には部品を特定する名称や製造工程等の機密情報を表示し、機密情報管理領域外においては表示を非機密データに切り替える。また、同様に、物流に付される宅配物や郵便物の中身を表示するための表示装置を用いた表示システムとしても利用できる。
＜２．３＞
上記実施形態１においては、リモコンの操作部（ボタン）は２つ設けているが１つであっても、３つ以上であってもよい。ボタンが１つの場合、例えば、ボタンを押す度に、第１の画像データ４０、第１の画像データ４０＋第３の画像データ４２Ａ（調剤済）、第１の画像データ４０＋第３の画像データ４２Ｂ（監査済）、第２の画像データ４１、第１の画像データ４０＋第３の画像データ４２Ｃ（与薬済）、第１の画像データ４０＋第３の画像データ４２Ｄ（返却）、第１の画像データ４０・・・とように、表示が切り替わるようにする。
＜２．４＞
リモートコントローラ１７は、ユーザに対する認証機能を有していてもよい。認証機能は、例えば、ユーザが有するＩＤカードや携帯機器とのコード認証、ユーザの生体認証等である。
＜２．５＞
上記実施形態においては、第１の画像切替制御を実施後所定の時間、表示装置６による第１の画像切替信号Ａの受信を無効とする受信無効期間を設けている。この受信無効期間の設定は、領域毎に設定及び非設定とてもよい。
【００８２】
例えば、上記実施形態においては、通常、第１の画像データが表示された複数の表示装置６の表示を一度に切り替える場合とは、機密情報管理領域において行われる第１の画像切替制御時である。よって、表示装置６がかかる領域内にあることを判断する手段（例えば、センサによるエリア検知等）を表示装置６に設けて、第１の画像切替信号Ａの受信無効を設定し、当該領域外にある場合は第１の画像切替信号Ａの受信無効を設定する。
これにより、第１の画像切替信号Ａの受信無効を設定による不便を回避することができる。
【００８３】
＜２．６＞
上記実施形態において、表示装置６は、表示部１６に第１の画像データ４０と第３の画像データとが表示されている間に第１の画像切替信号Ａを受信した場合は、第３の画像データが表示されたまま第２の画像データ４１に切り替えるようにしてもよい。ただし、第３の画像データは機密情報ではない場合に限られる。
この場合、第２の画像データ４１が表示されているときにも薬剤のステータスをユーザが把握できるというメリットがある。
【００８４】
＜２．７＞
本発明においては、表示システム２による制御は、表示装置６に対する薬剤払出装置５のデータ書込みユニット１１による第１の画像データ書込み制御を含まなくてもよい。
【００８５】
また、本発明は、表示システム２又は表示装置６としてだけでなく、表示制御方法としても実現できる。
【産業上の利用可能性】
【００８６】
本発明は、搬送される物品に関して機密情報を表示する表示装置等に有用に利用できる。
【符号の説明】
【００８７】
１  薬剤管理システム
３  薬剤
４  トレイ（搬送容器の一例）
５  薬剤払出装置
６、６Ａ、６Ｂ、６Ｃ 表示装置
９  サーバ
１０  薬剤払出ユニット
１１  データ書込みユニット
１２  監査部
１３  台車
１６  表示部
１７  リモートコントローラ
１８  表示装置本体
２０  送受信部
２１  リモートコントローラ本体
２２  第１のボタン（操作部又は第１の操作部の一例）
２３  第２のボタン（操作部又は第２の操作部の一例）
２４  リモートコントローラ制御部
２５  （リモートコントローラの）送信部
２６  信号判断部（判断部の一例）
２７  画像処理部
２８  第１の画像切替部
２９  第２の画像切替部
３０  メモリ部
３１  表示部制御部
３２  （表示装置の）受信部
３３  （表示装置の）送信部
３４  領域Ａ
３５  領域Ｂ
３６  領域Ｃ
３７  領域Ｄ
３８  領域Ｅ
３９  領域Ｆ
４０  第１の画像データ
４１  第２の画像データ
４２、４２Ａ、４２Ｂ、４２Ｃ、４２Ｄ  第３の画像データ
４３  書込み制御部
４４  （データ書込みユニットの）送受信部
４５  （データ書込みユニットの）送信部
４６  第１の信号生成部
４７  第２の信号生成部
４８  （データ書込みユニットの）受信部
Ａ  第１の画像切替信号
Ｂ  第２の画像切替信号
Ｃ  第１の画像データ信号
Ｓ１  第１の画像データ４０
Ｓ２  第１の画像データ４０＋第３の画像データ４２Ａ
Ｓ３  第１の画像データ４０＋第３の画像データ４２Ｂ
Ｓ４  第１の画像データ４０＋第３の画像データ４２Ｃ
Ｓ５  第１の画像データ４０＋第３の画像データ４２Ｄ
Ｔ１  第２の画像データ４１
Ｐ    薬剤部
ＮＳ  ナースステーション
ＮＣＡ  機密情報非管理領域
【手続補正２】
【補正対象書類名】特許請求の範囲
【補正対象項目名】全文
【補正方法】変更
【補正の内容】
【特許請求の範囲】
【請求項１】
機密情報を含む第１の画像データと非機密情報である第２の画像データとを保持し、前記第１の画像データ又は前記第２の画像データを表示する表示装置、及び
前記表示装置に対して、信号を生成し送信するための操作部を有するリモートコントローラ、を備える、
表示システムにおいて、
前記リモートコントローラは、
前記操作部を特定のユーザが操作することに応じて、前記第１の画像データと前記第２の画像データとを切り替えるための指令信号である第１の画像切替信号を生成する第１の信号生成部と、
前記第１の画像切替信号を前記表示装置に送信する送信部と、
を有し、
前記表示装置は、
前記リモートコントローラより前記第１の画像切替信号を受信する受信部と、
前記第１の画像切替信号に応じて、前記第１の画像データと前記第２の画像データとの切り替えを指令する第１の画像切替部と、
前記第１の画像切替部による指令に応じて、前記第１の画像データ又は前記第２の画像データを表示する表示部と、
を有し、
前記第１の画像切替部は、前記第１の画像切替信号が入力されると、
前記表示部に前記第１の画像データが表示されている場合は、前記表示部に前記第２の画像データを表示させ、
前記表示部に前記第２の画像データが表示されている場合は、前記表示部に前記第１の画像データを表示させる、
第１の画像切替制御を実行する、
表示システム。
【請求項２】
前記表示装置は、前記第１の画像切替制御を実行後の所定時間、新たな第１の画像切替信号の受信を無効とする、
請求項１に記載の表示システム。
【請求項３】
前記リモートコントローラは更に、
前記操作部を特定のユーザが操作することに応じて、一以上の第３の画像データの表示と非表示とを切り替えるための指令信号である第２の画像切替信号を生成する第２の信号生成部
を有し、
前記表示装置は更に、
前記一以上の第３の画像データを保持し、
前記受信部により前記第２の画像切替信号を受信し、
前記第２の画像切替信号に応じて、前記第３の画像データの表示と非表示との切り替えを指令する第２の画像切替部を有し、
前記表示部は、前記第２の画像切替部による指令に応じて、前記第１の画像データ上に重ねて前記第３の画像データを表示する、
請求項１に記載の表示システム。
【請求項４】
前記第３の画像データは複数であり、
前記第２の画像切替部は、前記第２の画像切替信号が入力される度に、前記複数の第３の画像データ及び前記第３の画像データの非表示を順次切り替えて前記表示部に表示させる、
請求項３に記載の表示システム。
【請求項５】
前記リモートコントローラの前記操作部は、第１の操作部と第２の操作部とを含み、
前記第１の信号生成部は、前記特定のユーザが前記第１の操作部を操作することに応じて、前記第１の画像切替信号を生成し、
前記第２の信号生成部は、前記特定のユーザが前記第２の操作部を操作することに応じて、前記第２の画像切替信号を生成する、
請求項３又は４に記載の表示システム。
【請求項６】
前記表示装置は、領域に応じて、前記第１の画像切替制御を実行後の所定時間前記第１の切替信号の受信を無効とする、
請求項２に記載の表示システム。
【請求項７】
前記表示装置は、前記リモートコントローラから送信された前記第１の画像切替信号と、記録した前記第１の画像データとの対応に基づき前記リモートコントローラを識別する、
請求項１に記載の表示システム。
【請求項８】
前記リモートコントローラは、異なる識別情報を有する複数のリモートコントローラを含む、
請求項７に記載の表示システム。
【請求項９】
機密情報を含む第１の画像データと非機密情報である第２の画像データとを保持するメモリ部と、
前記第１の画像データと前記第２の画像データとを切り替えるための切替信号を受信する受信部と、
前記切替信号を識別する判断部と、
前記切替信号に応じて、前記第１の画像データと前記第２の画像データとの切り替えを指令する画像切替部と、
前記画像切替部による指令に応じて、前記第１の画像データ又は前記第２の画像データを表示する表示部と、
を備え、
前記判断部は、前記第１の画像データと前記第２の画像データとの切り替えを実行後の所定時間、次の切替信号の受信を無効とする、
表示装置。
【請求項１０】
機密情報を含む第１の画像データと非機密情報である第２の画像データとを保持し、前記第１の画像データ又は前記第２の画像データを表示する表示装置、及び
前記表示装置に対して、信号を生成し送信するための操作部を有するリモートコントローラ、を用いた表示制御方法において、
前記リモートコントローラにおいて、
前記操作部を特定のユーザが操作することに応じて、前記第１の画像データと前記第２の画像データとを切り替えるための指令信号である画像切替信号を生成し、
前記画像切替信号を前記表示装置に送信し、
前記表示装置において、
前記リモートコントローラより前記画像切替信号を受信し、
前記画像切替信号に応じて、前記表示装置に前記第１の画像データが表示されている場合は、前記第２の画像データを表示するように切り替え、前記表示装置に前記第２の画像データが表示されている場合は、前記第１の画像データを表示するように切り替える、
表示制御方法。
【請求項１１】
機密情報を含む第１の画像データと非機密情報である第２の画像データとを保持し、前記第１の画像データ又は前記第２の画像データを表示する表示装置、
前記表示装置に対して、信号を生成し送信するための操作部を有するリモートコントローラ、及び
前記表示装置がそれぞれ取り付けられ、患者毎に払い出された薬剤を搬送するための複数の搬送容器、
を備える、薬剤管理システムであって、
前記リモートコントローラは、前記搬送容器が機密管理領域にあるとき、前記操作部を特定のユーザが操作することに応じて、前記第１の画像データと前記第２の画像データとを切り替えるための指令信号である第１の画像切替信号を生成する第１の信号生成部と、
前記第１の画像切替信号を複数の前記表示装置に同時に送信する送信部と、
を有し、
前記表示装置は、
前記リモートコントローラより前記第１の画像切替信号を受信する受信部と、
前記第１の画像切替信号に応じて、前記第１の画像データと前記第２の画像データとの切り替えを指令する第１の画像切替部と、
前記第１の画像切替部による指令に応じて、前記第１の画像データ又は前記第２の画像データを表示する表示部と、
を有し、
前記第１の画像切替部は、前記第１の画像切替信号が入力されると、
前記表示部に前記第１の画像データが表示されている場合は、前記表示部に前記第２の画像データを表示させ、
前記表示部に前記第２の画像データが表示されている場合は、前記表示部に前記第１の画像データを表示させる、
第１の画像切替制御を実行する、
薬剤管理システム。
【国際調査報告】
2012086209.tif 000022
2012086209.tif 000023
2012086209.tif 000024
2012086209.tif 000025